(57)【要約】【課題】画像形成装置を正常に動作する状態に容易に復帰させる。【解決手段】本発明は、画像形成装置の装置設定情報をネットワークを介してバックアップするバックアップ装置にリストア支援端末が公衆回線網及びネットワークを介して通信してリストア対象の装置設定情報を通知し、またリストアの実行を指示することで、当該バックアップ装置から画像形成装置にリストア対象の装置設定情報をリストアすることにより、画像形成装置のメンテナンス作業者がユーザのパーソナルコンピュータを操作することなく、バックアップ装置から画像形成装置に装置設定情報をリストアすることができ、画像形成装置を正常に動作する状態に容易に復帰させることができる。【選択図】図１
2016045775.tif 000002
【特許請求の範囲】
【請求項１】
装置設定情報によって動作形態が設定される画像形成装置と、当該画像形成装置の前記装置設定情報をバックアップし、また当該バックアップした前記装置設定情報を前記画像形成装置にリストアするバックアップ装置と、前記バックアップ装置から前記画像形成装置への前記装置設定情報のリストアを支援するリストア支援端末とから構築されるバックアップシステムであって、
前記画像形成装置は、
前記装置設定情報を記憶する画像形成装置記憶部と、
所定のネットワークを介して前記バックアップ装置と通信するための画像形成装置通信部と、
前記画像形成装置記憶部から前記装置設定情報を読み出して前記バックアップ装置に送信するバックアップ実行部と、
前記バックアップ装置から送信された前記装置設定情報を前記画像形成装置記憶部にリストアするリストア実行部と
を具え、
前記バックアップ装置は、
バックアップ装置記憶部と、
前記ネットワークを介して前記画像形成装置と通信し、また前記ネットワーク及び公衆回線網を介して前記リストア支援端末と通信するためのバックアップ装置通信部と、
前記画像形成装置から送信された前記装置設定情報を前記バックアップ装置記憶部に記憶するバックアップ処理部と、
前記バックアップ装置記憶部に記憶された前記装置設定情報のリストを前記リストア支援端末に送信し、当該リストア支援端末から前記装置設定情報の中で選択されたリストア対象の装置設定情報が通知された後、当該リストア対象の装置設定情報のリストアの実行が指示されると、前記バックアップ装置記憶部から前記リストア対象の装置設定情報を読み出して前記画像形成装置に送信するリストア処理部と
を具え、
前記リストア支援端末は、
前記公衆回線網及び前記ネットワークを介して前記バックアップ装置と通信するためのリストア支援端末通信部と、
前記バックアップ装置から送信された前記装置設定情報のリストの中で前記リストア対象の装置設定情報が選択されると、前記バックアップ装置に前記リストア対象の装置設定情報を通知すると共に、前記画像形成装置に対する前記リストア対象の装置設定情報のリストアの実行を指示するリストア支援部と
を具えるバックアップシステム。
【請求項２】
前記リストア支援端末は、
前記バックアップ装置に本端末を個別に識別可能な端末識別情報と、前記装置設定情報のリストアを支援する前記画像形成装置を個別に識別可能な装置識別情報とを送信して、前記本端末の登録を依頼する登録依頼部
を具え、
前記バックアップ装置は、
前記バックアップ装置記憶部に、前記リストア支援端末から送信された前記端末識別情報を前記装置識別情報と対応付けて記憶することにより、前記リストア支援端末を前記画像形成装置と対応付けて登録する端末登録実行部
を具え、
前記リストア支援端末の前記リストア支援部は、
前記バックアップ装置に前記本端末と対応付けて登録された前記画像形成装置に対する前記装置設定情報のリストアを支援する
請求項１に記載のバックアップシステム。
【請求項３】
複数の前記画像形成装置
を具え、
前記バックアップ装置の前記端末登録実行部は、
前記リストア支援端末から前記端末識別情報と共に、それぞれ異なる前記画像形成装置の前記装置識別情報が送信される毎に、前記バックアップ装置記憶部に前記端末識別情報を、それぞれ異なる前記画像形成装置の前記装置識別情報と対応付けて記憶することにより、前記リストア支援端末を複数の前記画像形成装置と対応付けて登録し、
前記リストア支援端末の前記リストア支援部は、
前記バックアップ装置に前記端末識別情報と共に１個の前記装置識別情報を送信して支援対象の１台の前記画像形成装置を通知し、
前記バックアップ装置の前記リストア処理部は、
前記リストア支援端末から前記端末識別情報と共に１個の前記装置識別情報が送信されて支援対象の１台の前記画像形成装置が通知されると、前記バックアップ装置記憶部に記憶された前記装置設定情報のうち、前記リストア支援端末に対応付けられた複数の前記画像形成装置の前記装置設定情報のリストを前記リストア支援端末に送信し、
前記リストア支援端末の前記リストア支援部は、
前記バックアップ装置から送信された複数の前記画像形成装置の前記装置設定情報のリストの中で前記リストア対象の装置設定情報が選択されると、前記バックアップ装置に前記リストア対象の装置設定情報を通知すると共に、前記画像形成装置に対する前記リストア対象の装置設定情報のリストアの実行を指示する
請求項２に記載のバックアップシステム。
【請求項４】
前記画像形成装置は、
適宜変更される設定フォーマットに準じた前記装置設定情報によって前記動作形態を設定する動作形態設定部
を具え、
前記画像形成装置の前記バックアップ実行部は、
前記画像形成装置記憶部から読み出した前記装置設定情報を、当該装置設定情報によって前記動作形態が設定されたときの前記設定フォーマットのフォーマットバージョンを付加して前記バックアップ装置に送信し、
前記バックアップ装置は、
前記リストア支援端末から前記画像形成装置に対する前記リストア対象の装置設定情報が通知された際、当該リストア対象の装置設定情報に付加されている前記フォーマットバージョンが、前記画像形成装置の現在の前記設定フォーマットの前記フォーマットバージョンよりも何世代か前であると、前記リストア対象の装置設定情報を前記画像形成装置の現在の前記設定フォーマットに準じて修正する設定情報修正部
を具え、
前記バックアップ装置の前記リストア処理部は、
前記リストア支援端末から前記リストア対象の装置設定情報のリストアの実行が指示されると、前記設定情報修正部により修正された前記リストア対象の装置設定情報を前記画像形成装置に送信する
請求項１乃至請求項３の何れかに記載のバックアップシステム。
【請求項５】
前記バックアップ装置の前記リストア処理部は、
前記リストア支援端末から通知された前記リストア対象の装置設定情報が修正される場合、当該リストア対象の装置設定情報の修正箇所を前記リストア支援端末に通知する
請求項４に記載のバックアップシステム。
【請求項６】
前記画像形成装置の前記バックアップ実行部は、
前記画像形成装置記憶部から読み出した前記装置設定情報を、当該装置設定情報のバックアップ日時を示すファイル名を付したバックアップファイルとして前記バックアップ装置に送信し、
前記バックアップ装置の前記リストア処理部は、
前記画像形成装置の前記装置設定情報のリストとして前記バックアップファイルのファイル名リストを前記リストア支援端末に送信する
請求項１乃至請求項５の何れかに記載のバックアップシステム。
【請求項７】
前記バックアップ装置の前記リストア処理部は、
前記リストア支援端末から前記装置設定情報の閲覧が要求されると、当該装置設定情報を画像として提示可能な設定情報画像を前記リストア支援端末に送信する
請求項１乃至請求項６の何れかに記載のバックアップシステム。
【発明の詳細な説明】
【技術分野】
【０００１】
本発明はバックアップシステムに関し、例えば、ＭＦＰ（Multi-Function  Peripheral）の装置設定情報のバックアップ用として構築されるバックアップシステムに適用して好適なものである。
【背景技術】
【０００２】
従来のメンテナンスシステムは、ユーザの使用するＭＦＰ及びパーソナルコンピュータ（以下、これをユーザパソコンとも呼ぶ）が通信可能に接続されると共に、そのユーザパソコンがサービス局パーソナルコンピュータ（以下、これをサービス局パソコンとも呼ぶ）と通信可能に接続される。またＭＦＰは、内部のメモリに装置設定情報等の種々の情報が書き込まれている。さらにサービス局パソコンは、ＭＦＰのメンテナンス用に複数のソーススクリプトファイルを作成して目的別に提供している。よってユーザパソコンは、サービス局パソコンからユーザによりＭＦＰ用に任意に選定されたソーススクリプトファイルをダウンロードしてスクリプトファイルを生成しＭＦＰに転送する。これによりユーザパソコンは、ＭＦＰにおいてスクリプトファイルに従い、メモリの指定位置の情報を書き換える。このようにしてメンテナンスシステムでは、サービス局パソコンを利用してＭＦＰに対する各種設定のメンテナンスを行っていた（例えば、特許文献１参照）。
【先行技術文献】
【特許文献】
【０００３】
【特許文献１】特開平１０−３０１８００号公報（第１８頁乃至第２１頁、図１乃至図４）
【発明の概要】
【発明が解決しようとする課題】
【０００４】
ところが、従来のメンテナンスシステムでは、例えば、ＭＦＰのメーカのメンテナンス作業者が、ＭＦＰを修理した際に装置設定情報を改めて記憶させる必要があっても、ユーザパソコンをセキュリティー上の観点から操作するわけにはいかない場合がある。このような場合、従来のメンテナンスシステムでは、ＭＦＰにサービス局パソコンがソーススクリプトファイルとして提供する装置設定情報を記憶させ難いため、当該ＭＦＰを正常に動作する状態に容易には復帰させ難いという問題があった。
【０００５】
本発明は以上の点を考慮してなされたもので、画像形成装置を正常に動作する状態に容易に復帰させ得るバックアップシステムを提案しようとするものである。
【課題を解決するための手段】
【０００６】
かかる課題を解決するため本発明においては、装置設定情報によって動作形態が設定される画像形成装置と、当該画像形成装置の装置設定情報をバックアップし、また当該バックアップした装置設定情報を画像形成装置にリストアするバックアップ装置と、バックアップ装置から画像形成装置への装置設定情報のリストアを支援するリストア支援端末とから構築されるバックアップシステムであって、画像形成装置に、装置設定情報を記憶する画像形成装置記憶部と、所定のネットワークを介してバックアップ装置と通信するための画像形成装置通信部と、画像形成装置記憶部から装置設定情報を読み出してバックアップ装置に送信するバックアップ実行部と、バックアップ装置から送信された装置設定情報を画像形成装置記憶部にリストアするリストア実行部とを設け、バックアップ装置に、バックアップ装置記憶部と、ネットワークを介して画像形成装置と通信し、またネットワーク及び公衆回線網を介してリストア支援端末と通信するためのバックアップ装置通信部と、画像形成装置から送信された装置設定情報をバックアップ装置記憶部に記憶するバックアップ処理部と、バックアップ装置記憶部に記憶された装置設定情報のリストをリストア支援端末に送信し、当該リストア支援端末から装置設定情報の中で選択されたリストア対象の装置設定情報が通知された後、当該リストア対象の装置設定情報のリストアの実行が指示されると、バックアップ装置記憶部からリストア対象の装置設定情報を読み出して画像形成装置に送信するリストア処理部とを設け、リストア支援端末に、公衆回線網及びネットワークを介してバックアップ装置と通信するためのリストア支援端末通信部と、バックアップ装置から送信された装置設定情報のリストの中でリストア対象の装置設定情報が選択されると、バックアップ装置にリストア対象の装置設定情報を通知すると共に、画像形成装置に対するリストア対象の装置設定情報のリストアの実行を指示するリストア支援部とを設けるようにした。
【０００７】
従って本発明では、画像形成装置の修理に伴い装置設定情報を改めて記憶させるような場合、メンテナンス作業者がユーザのパーソナルコンピュータを操作する必要はなく、またメンテナンス作業者のパーソナルコンピュータを画像形成装置の遠隔操作用として当該画像形成装置に接続するような煩雑な作業も必要とせずに、リストア支援端末を操作してバックアップ装置と通信することで、当該バックアップ装置にバックアップしていた装置設定情報を画像形成装置にリストアすることができる。
【発明の効果】
【０００８】
本発明によれば、装置設定情報によって動作形態が設定される画像形成装置と、当該画像形成装置の装置設定情報をバックアップし、また当該バックアップした装置設定情報を画像形成装置にリストアするバックアップ装置と、バックアップ装置から画像形成装置への装置設定情報のリストアを支援するリストア支援端末とから構築されるバックアップシステムであって、画像形成装置に、装置設定情報を記憶する画像形成装置記憶部と、所定のネットワークを介してバックアップ装置と通信するための画像形成装置通信部と、画像形成装置記憶部から装置設定情報を読み出してバックアップ装置に送信するバックアップ実行部と、バックアップ装置から送信された装置設定情報を画像形成装置記憶部にリストアするリストア実行部とを設け、バックアップ装置に、バックアップ装置記憶部と、ネットワークを介して画像形成装置と通信し、またネットワーク及び公衆回線網を介してリストア支援端末と通信するためのバックアップ装置通信部と、画像形成装置から送信された装置設定情報をバックアップ装置記憶部に記憶するバックアップ処理部と、バックアップ装置記憶部に記憶された装置設定情報のリストをリストア支援端末に送信し、当該リストア支援端末から装置設定情報の中で選択されたリストア対象の装置設定情報が通知された後、当該リストア対象の装置設定情報のリストアの実行が指示されると、バックアップ装置記憶部からリストア対象の装置設定情報を読み出して画像形成装置に送信するリストア処理部とを設け、リストア支援端末に、公衆回線網及びネットワークを介してバックアップ装置と通信するためのリストア支援端末通信部と、バックアップ装置から送信された装置設定情報のリストの中でリストア対象の装置設定情報が選択されると、バックアップ装置にリストア対象の装置設定情報を通知すると共に、画像形成装置に対するリストア対象の装置設定情報のリストアの実行を指示するリストア支援部とを設けることにより、画像形成装置の修理に伴い装置設定情報を改めて記憶させるような場合、メンテナンス作業者がユーザのパーソナルコンピュータを操作する必要はなく、またメンテナンス作業者のパーソナルコンピュータを画像形成装置の遠隔操作用として当該画像形成装置に接続するような煩雑な作業も必要とせずに、リストア支援端末を操作してバックアップ装置と通信することで、当該バックアップ装置にバックアップしていた装置設定情報を画像形成装置にリストアすることができ、かくして画像形成装置を正常に動作する状態に容易に復帰させ得るバックアップシステムを実現することができる。
【図面の簡単な説明】
【０００９】
【図１】本発明によるバックアップシステムの全体構成を示す略線図である。
【図２】ＭＦＰの回路構成を示すブロック図である。
【図３】ＭＦＰの操作パネルの構成を示す略線図である。
【図４】装置情報の構成を示す略線図である。
【図５】バックアップリストア選択画面の構成を示す略線図である。
【図６】設定情報バックアップ実行処理手順を示すフローチャートである。
【図７】バックアップ実行指示画面の構成を示す略線図である。
【図８】バックアップファイルの構成を示す略線図である。
【図９】第１設定情報リストア実行処理手順を示すフローチャートである。
【図１０】リストア実行指示画面の構成を示す略線図である。
【図１１】第２設定情報リストア実行処理手順を示すフローチャートである。
【図１２】バックアップ装置の回路構成を示すブロック図である。
【図１３】登録装置リストの構成を示す略線図である。
【図１４】登録実行処理手順を示すフローチャートである。
【図１５】フォーマットテーブルの構成を示す略線図である。
【図１６】設定情報記憶処理手順を示すフローチャートである。
【図１７】第１設定情報送信処理手順を示すフローチャートである。
【図１８】バックアップ装置によるバックアップファイルとリストア支援端末との関連付けの説明に供する略線図である。
【図１９】第２設定情報送信処理手順（１）を示すフローチャートである。
【図２０】第２設定情報送信処理手順（２）を示すフローチャートである。
【図２１】第２設定情報送信処理手順（３）を示すフローチャートである。
【図２２】リストア支援端末の回路構成を示すブロック図である。
【図２３】登録依頼処理手順を示すフローチャートである。
【図２４】リストア支援処理手順（１）を示すフローチャートである。
【図２５】リストア支援処理手順（２）を示すフローチャートである。
【図２６】リストア支援処理手順（３）を示すフローチャートである。
【図２７】リストア支援処理手順（４）を示すフローチャートである。
【図２８】リストア支援画面の構成を示す略線図である。
【図２９】バックアップファイル名提示画面の構成を示す略線図である。
【図３０】修正箇所提示画面の構成を示す略線図である。
【図３１】リストア完了通知画面の構成を示す略線図である。
【図３２】画像ファイル名提示画面の構成を示す略線図である。
【図３３】情報閲覧画面の構成を示す略線図である。
【図３４】バックアップ処理手順を示すシーケンスチャートである。
【図３５】第１リストア処理手順を示すシーケンスチャートである。
【図３６】端末登録処理手順を示すシーケンスチャートである。
【図３７】第２リストア処理手順（１）を示すシーケンスチャートである。
【図３８】第２リストア処理手順（２）を示すシーケンスチャートである。
【図３９】第２リストア処理手順（３）を示すシーケンスチャートである。
【発明を実施するための形態】
【００１０】
以下図面を用いて、発明を実施するための最良の形態（以下、これを実施の形態とも呼ぶ）について説明する。なお、説明は以下の順序で行う。
（１）実施の形態
（２）他の実施の形態
【００１１】
（１）実施の形態
（１−１）バックアップシステムの全体構成
図１において、１は全体として本発明によるバックアップシステムを示す。バックアップシステム１は、例えば、会社内で使用される複数台のＭＦＰ５、６、ＰＣ（Personal  Computer）７、防御用ソフトウェアをインストールしたコンピュータ構成のファイアウォール８が当該会社内に構築されたＬＡＮ（Local  Area  Network）のような内部ネットワーク９を介して相互に接続されると共に、その内部ネットワーク９がファイアウォール８を介してインターネットのような外部ネットワーク１０に接続されている。よってバックアップシステム１では、複数台のＭＦＰ５、６とＰＣ７とが内部ネットワーク９を介して相互に通信し得ると共に、ファイアウォール８が防御用ソフトウェアに従い外部ネットワーク１０からＭＦＰ５、６及びＰＣ７への不正アクセスや攻撃を阻止している。またバックアップシステム１は、外部ネットワーク１０に例えば、ＭＦＰ５、６のメーカ側が管理運営するサーバであるバックアップ装置１１が接続されており、ＭＦＰ５、６やＰＣ７が内部ネットワーク９、ファイアウォール８及び外部ネットワーク１０を順次介してバックアップ装置１１と通信することができる。さらにバックアップシステム１は、例えば、ＭＦＰ５、６のメーカ側のメンテナンス作業者が使用するスマートホンであるリストア支援端末１２が適宜、最寄りの基地局であるアクセスポイント１３から公衆回線網１４を介して外部ネットワーク１０上のバックアップ装置１１と通信可能に接続されている。
【００１２】
ＭＦＰ５、６は、コピー機能、プリント機能、ファクシミリ機能、イメージスキャナ機能、ファイル送受信機能、電子メール送信機能等の各種機能を実現可能な複合機である。実際にＭＦＰ５、６は、種々の設定項目に亘って動作環境や動作条件等のような動作形態が設定され、当該設定された動作形態に従って動作して各種機能を実現している。因みに、ＭＦＰ５、６は、内部ネットワーク９のみならず、他のファクシミリ装置（図示せず）とのファクシミリ通信用や、音声電話用として電話回線１５にも接続されている。なお、ＰＣ７は、所定の基本プログラムや、文書作成ソフトウェア、電子メールソフトウェア、スキャニングソフトウェア、ＷＥＢ（World  Wide  Web）ブラウザ、プリンタドライバ等の各種プログラムがインストールされており、これらのうちスキャニングソフトウェアやプリンタドライバ等に従いＭＦＰ５、６を、コンピュータ周辺機器としてのイメージスキャナやプリンタ等として機能させている。バックアップ装置１１は、所定の基本プログラムやバックアップファイル管理プログラム等の各種プログラムがインストールされており、これら各種プログラムに従い各種機能を実現し、またＦＴＰ（File  Transfer  Protocol）やＨＴＴＰ（HyperText  Transfer  Protocol）、ＣＩＦＳ（Common  Internet  File  System）等の所定の通信プロトコルに準じてＭＦＰ５、６やリストア支援端末１２と通信する。リストア支援端末１２は、携帯電話機及び携帯情報端末の機能を併せ持つものであり、アップル（登録商標）  インコーポレイテッドのｉＯＳや、グーグル（登録商標）  インコーポレイテッドのＡｎｄｒｏｉｄ（登録商標）、マイクロソフト（登録商標）  コーポレイションのＷｉｎｄｏｗｓ（登録商標）  Ｐｈｏｎｅ等の基本プログラムや、リストア支援プログラム等の各種プログラムがインストールされ、これら各種プログラムに従い各種機能を実現している。
【００１３】
バックアップシステム１においてバックアップ装置１１は、例えば、ＰＣ７と通信してＭＦＰ５、６を個別に識別可能な装置識別情報のような当該ＭＦＰ５、６に関する情報、及びＭＦＰ５、６のユーザの名称や住所（会社名や会社の所在地）のような当該ユーザに関する情報等からなる所定の装置登録情報を記憶している。これによりバックアップ装置１１は、ＭＦＰ５、６を、上述した種々の設定項目の設定内容を示す装置設定情報のバックアップ及びリストアに当該バックアップ装置１１を利用可能なようにユーザ登録している。よってＭＦＰ５、６は、適宜、装置設定情報をバックアップファイルとしてバックアップ装置１１に送信してバックアップ（すなわち、記憶保持）している。またＭＦＰ５、６は、適宜、バックアップ装置１１と直接通信してバックアップファイルをダウンロードすることで、そのバックアップファイルとしての装置設定情報をリストア（すなわち、バックアップ装置１１から戻した装置設定情報を改めて記憶することで、種々の設定項目の設定内容を過去の設定内容に戻すように再設定）している。ところで、バックアップ装置１１は、リストア支援端末１２と通信して当該リストア支援端末１２を個別に識別可能な端末識別情報としての例えば、電話番号（以下、これを端末電話番号とも呼ぶ）と、そのリストア支援端末１２が装置設定情報のリストアを支援するＭＦＰ５、６を個別に識別可能な装置識別情報とからなる端末登録情報も記憶している。これによりバックアップ装置１１は、リストア支援端末１２を、支援対象のＭＦＰ５、６への装置設定情報のリストアの支援に当該バックアップ装置１１を利用可能なように、その支援対象のＭＦＰ５、６と対応付けて端末登録している。よってリストア支援端末１２は、バックアップ装置１１と通信して、当該バックアップ装置１１からバックアップファイルをＭＦＰ５、６に送信させることで、そのＭＦＰ５、６にバックアップファイルとしての装置設定情報をリストアさせている。
【００１４】
（１−２）ＭＦＰの回路構成
次いで、複数台のＭＦＰ５、６の回路構成について説明する。ただし、この実施の形態の場合、例えば、複数台のＭＦＰ５、６は同様に構成されている。よって、以下には、１台のＭＦＰ５の構成についてのみ説明し、他のＭＦＰ５の構成については説明を省略する。図２に示すように、ＭＦＰ５は、ＣＰＵ（Central  Processing  Unit）又はマイクロプロセッサ等の制御部２０に内部バス２１を介して、基本プログラムや、設定情報バックアップ実行プログラム、第１設定情報リストア実行プログラム及び第２設定情報リストア実行プログラム等の各種プログラムが予め記憶されたハードディスクドライブ又は不揮発性の半導体メモリ等である記憶部２２と、当該制御部２０のワークエリアであるＲＡＭ（Random  Access  Memory）２３と、操作パネル２４とが接続されている。なお、図３に示すように、操作パネル２４は、種々の画面の表示及び表面へのタッチ操作が可能な表示部２５が設けられると共に、コピー機能やファクシミリ機能等を選択するための機能選択キー２６や、テンキー２７、処理の実行を指示するための処理実行指示キー２８等のような各種操作キーが設けられている。またＭＦＰ５は、制御部２０に内部バス２１を介してネットワーク通信部３０、ファクシミリ通信部３１、読取部３２及び印刷部３３も接続され、当該ネットワーク通信部３０が内部ネットワーク９に接続されると共に、ファクシミリ通信部３１が電話回線１５に接続されている。そして制御部２０は、記憶部２２から各種プログラムを適宜、ＲＡＭ２３に読み出して展開することにより、そのＲＡＭ２３上で展開した各種プログラムに従ってＭＦＰ５全体を制御すると共に、所定の演算処理や、操作パネル２４からユーザの表示部２５に対するタッチ操作や操作キーの押下操作によって入力される操作コマンドに応じた各種処理を実行する。なお、以下には、図２において制御部２０が各種プログラムに従って実現する各種機能をそれぞれ便宜上、機能回路ブロックとして示して、当該制御部２０が各種プログラムに従って実行する種々の処理を、その機能回路ブロックが実行する処理として具体的に説明する。なお、ＭＦＰ５は、以下に示す機能回路ブロックと同様の処理を実行可能なハードウェア構成の回路ブロックを設け、制御部２０が実行する種々の処理を、その回路ブロックによって実行するように構成することもできる。
【００１５】
システム制御部３５は、ＭＦＰ５全体を統括制御して、上述したコピー機能、プリント機能、ファクシミリ機能、イメージスキャナ機能、ファイル送受信機能、電子メール送信機能等の各種機能を実現するものである。ここで、このような機能の実現について幾つか例を挙げて簡単に説明すると、システム制御部３５は、例えば、ＰＣ７から送信された文章や図形等からなる印刷画像の印刷画像データをネットワーク通信部３０で受信して取り込み印刷用の所定の画像処理を施した後、印刷部３３に送出して印刷用紙の表面に印刷画像を形成することで、プリント機能を実現する。またシステム制御部３５は、例えば、操作パネル２４を介してイメージスキャナ機能が選択されたうえで処理の実行が指示されると、読取部３２により、原稿台ガラス面に直接載上され、又はＡＤＦ（Auto  Document  Feeder）を介して原稿台ガラス面上に取り込んだスキャナ対象の原稿を光学的に読み取りスキャナ画像データを生成して、そのスキャナ画像データをネットワーク通信部３０からＰＣ７へ送信することで、イメージスキャナ機能と共にファイル送信機能を実現する。さらにシステム制御部３５は、例えば、操作パネル２４を介してコピー機能が選択されたうえで処理の実行が指示されると、読取部３２によりスキャナ対象の原稿の場合と同様に、コピー対象の原稿を光学的に読み取りコピー画像データを生成して、そのコピー画像データを印刷用の所定の画像処理を施して印刷部３３に送出して印刷用紙の表面にコピー画像を形成することで、イメージスキャナ機能と共にコピー機能を実現する。
【００１６】
ところで、動作形態設定部としてのシステム制御部３５は、記憶部２２に、ＭＦＰ５を個別に識別可能な装置識別情報３６と、当該ＭＦＰ５の装置個別情報３７と、上述した装置設定情報３８とからなる装置情報３９を記憶している。図４に示すように、装置識別情報３６は、例えば、メーカによりＭＦＰ５に付与されたシリアル番号（以下、これを装置シリアル番号とも呼ぶ）を示す装置シリアル番号情報、ＭＦＰ５のモデル名を示すモデル名情報、ＭＦＰ５に割り当てられたＭＡＣ（Media  Access  Control）アドレスを示すアドレス情報等からなる。また装置個別情報３７は、例えば、ＭＦＰ５の動作形態を設定するための設定フォーマットのバージョン（以下、これをフォーマットバージョンとも呼ぶ）を示すバージョン情報、ＭＦＰ５の仕向地を示す仕向地情報、ＭＦＰ５においてカウンタでカウントした画像の印刷枚数を示す印刷枚数情報等からなる。ここで、ＭＦＰ５では、例えば、記憶部２２にインストールされているファームウェアにより、動作形態を設定するための設定フォーマットが設定項目の種類や当該設定項目毎に設定可能な設定内容の種類等として規定されており、そのファームウェアに当該設定フォーマットのフォーマットバージョンが記述されている。よってＭＦＰ５のメーカは、当該ＭＦＰ５の製造時、記憶部２２にインストールしたファームウェアに応じて、当該記憶部２２に、そのファームウェアにより規定した設定フォーマットのフォーマットバージョンを初期値として示すバージョン情報を記憶している。ただし、設定フォーマットは、ＭＦＰ５、６のメーカによるファームウェアの改訂（すなわち、記述内容の変更）に伴い設定項目の種類や設定項目に対して設定可能な設定内容の種類等が変更されると、フォーマットバージョンが更新されている。なお、改訂されたファームウェアには、その更新されたフォーマットバージョンが記述されている。そしてＭＦＰ５、６のメーカは、ファームウェアを改訂する毎に、外部ネットワーク１０上のサービスサイトで、その改訂したファームウェアをダウンロード可能なように公開している。このためシステム制御部３５は、例えば、操作パネル２４を介してファームウェアの改訂の有無を確認するように要求されると、ネットワーク通信部３０を介してサービスサイトにアクセスする。その結果、システム制御部３５は、記憶部２２に記憶しているファームウェアに比して改訂されたファームウェアが公開されていると、これをダウンロードし、記憶部２２において改訂前のものに上書きして更新する。そしてシステム制御部３５は、この際、記憶部２２に記憶していたバージョン情報に、改訂版のファームウェアに記述されているフォーマットバージョンを示すバージョン情報を上書きする。このようにしてシステム制御部３５は、記憶部２２に記憶しているバージョン情報を、ファームウェアと共に適宜更新している。
【００１７】
さらに装置設定情報３８は、上述した設定フォーマットの設定項目毎に対応付けられた、当該設定項目を示す設定項目情報と、その設定項目に対して設定された設定内容を示す設定内容情報とからなる。なお、設定項目毎の設定内容情報は、ＭＦＰ５に割り当てられたＩＰ（Internet  Protocol）アドレスを示すアドレス情報、給紙トレイ毎に装填される印刷用紙の用紙サイズを示す用紙サイズ情報、パワーセーブのオン／オフを示すパワーセーブ情報、パワーセーブへの移行時間を示すパワーセーブ移行時間情報、装置設定情報３８のバックアップ日時を示すバックアップ日時情報等である。ここで、システム制御部３５は、例えば、ＭＦＰ５の使用に先立ち、記憶部２２にバックアップ日時情報以外の設定内容情報として一旦、何れも初期状態の設定内容を示す設定内容情報を記憶している。またシステム制御部３５は、例えば、ファームウェアの更新に伴い新たな設定項目が追加で設定可能になった場合、記憶部２２に当該新たな設定項目を示す設定項目情報を記憶すると共に、その設定項目に対する設定内容を示す設定内容情報として一旦、初期状態の設定内容を示す設定内容情報を記憶している。そしてシステム制御部３５は、バックアップ日時情報以外の設定項目毎の設定内容情報については、ＭＦＰ５の使用中にユーザにより任意のタイミングで操作パネル２４を介して、又はＰＣ７を介して設定内容が変更されると、記憶部２２に記憶していた変更前の設定内容を示す設定内容情報に、変更後の設定内容を示す設定内容情報を上書きする。またシステム制御部３５は、バックアップ日時情報については、装置設定情報３８をバックアップする毎に、そのときの日時を示すバックアップ日時情報を記憶部２２において過去のものに上書きする。このようにしてシステム制御部３５は、記憶部２２に対し設定項目毎の設定内容情報を記憶してＭＦＰ５の動作形態を設定すると共に、適宜、設定項目単位で設定内容（すなわち、設定内容情報）と共にＭＦＰ５の動作形態を変更している。
【００１８】
システム制御部３５は、例えば、操作パネル２４を介して装置設定情報３８のバックアップ及びリストアの処理を選択するためのバックアップリストア選択画面の表示が要求されると、記憶部２２から予め記憶されたバックアップ装置１１のＵＲＬ（Uniform  Resource  Locator）のようなネットワークアドレスを示すアドレス情報と共に、装置識別情報３６としての例えば、装置シリアル番号情報を読み出す。そしてシステム制御部３５は、そのネットワークアドレスに従いネットワーク通信部３０を介してバックアップ装置１１と通信接続したうえで、装置シリアル番号情報を格納した選択画面要求データをネットワーク通信部３０から当該バックアップ装置１１へ送信する。その結果、システム制御部３５は、バックアップ装置１１から送信されたバックアップリストア選択画面データをネットワーク通信部３０で受信して取り込むと、表示部２５に当該バックアップリストア選択画面データに基づく図５に示すようなバックアップリストア選択画面４０を表示する。バックアップリストア選択画面４０には、選択可能な処理としての装置設定情報３８のバックアップ処理を選択するためのバックアップ選択ボタン４１と、装置設定情報３８のリストア処理を選択するためのリストア選択ボタン４２とが配置されている。またバックアップリストア選択画面４０には、バックアップ装置１１により、当該バックアップ装置１１のネットワークアドレスと、ＭＦＰ５の例えば、装置シリアル番号とを符号化して生成されたＱＲ（Quick  Response）コード（登録商標）、ＤＡＴＡ  ＭＡＴＲＩＸ（登録商標）、又はＭａｘｉ  Ｃｏｄｅ（登録商標）等のような所定フォーマットの２次元コード４３が表示されている。
【００１９】
バックアップ実行部４５は、表示部２５にバックアップリストア選択画面４０が表示されると、例えば、図６に示す設定情報バックアップ実行処理手順ＲＴ１を開始する。バックアップ実行部４５は、設定情報バックアップ実行処理手順ＲＴ１を開始すると、ステップＳＰ１において装置設定情報３８のバックアップが要求されたか否かを判別し、否定結果を得ると、次のステップＳＰ２に移り、設定情報バックアップ実行処理を終了するか否かを判別する。そしてバックアップ実行部４５は、リストア実行部４６やシステム制御部３５から設定情報バックアップ実行処理の終了が指示されないために否定結果を得ると、ステップＳＰ１に戻る。これによりバックアップ実行部４５は、この後、ステップＳＰ１又はステップＳＰ２において肯定結果を得るまでの間、当該ステップＳＰ１及びステップＳＰ２の処理を循環的に繰り返し実行することで、装置設定情報３８のバックアップが要求されることを待ち受ける。そしてステップＳＰ１においてバックアップ実行部４５は、ユーザによりバックアップリストア選択画面４０上でバックアップ選択ボタン４１が選択指示されて肯定結果を得ると、ステップＳＰ３に移る。ステップＳＰ３においてバックアップ実行部４５は、装置シリアル番号情報を格納し、バックアップ実行指示画面を要求するバックアップ画面要求データをネットワーク通信部３０からバックアップ装置１１へ送信して、ステップＳＰ４に移る。よってステップＳＰ４においてバックアップ実行部４５は、バックアップ装置１１からバックアップ実行指示画面データが送信されることを待ち受け、そのバックアップ実行指示画面データをネットワーク通信部３０で受信して取り込むと、次のステップＳＰ５に移る。ステップＳＰ５においてバックアップ実行部４５は、例えば、内部の時計により計時している現在日時に基づき、今回、装置設定情報３８をバックアップファイルとしてバックアップするためのファイル名を生成する。因みに、バックアップ実行部４５は、例えば、バックアップファイルのファイル名を、現在日時（年月日及び時刻）を示す数字に、本日の何回目のバックアップであるのかを示す数字を繋げた数列として生成している。これによりバックアップ実行部４５は、装置設定情報３８をバックアップファイルとしてバックアップした場合、当該バックアップファイルのファイル名により、その装置設定情報３８が何時バックアップしたものであるのかを容易に判別させることができる。そしてバックアップ実行部４５は、バックアップ実行指示画面データにバックアップファイルのファイル名を示すファイル名情報を合成して表示部２５に送出することにより、当該表示部２５にバックアップ実行指示画面データに基づく図７に示すようなバックアップ実行指示画面４７を表示して、次のステップＳＰ６に移る。バックアップ実行指示画面４７には、装置設定情報３８のバックアップの実行を指示するためのバックアップ実行ボタン４８と、そのバックアップのキャンセルを指示するためのキャンセルボタン４９とが配置されている。またバックアップ実行指示画面４７には、今回、装置設定情報３８をバックアップファイルとしてバックアップする場合のファイル名５０が表示されている。
【００２０】
ステップＳＰ６においてバックアップ実行部４５は、バックアップの実行が指示されたか否かを判別し、否定結果を得ると、次のステップＳＰ７に移り、装置設定情報３８のバックアップがキャンセルされたか否かを判別する。そしてバックアップ実行部４５は、ユーザによりバックアップがキャンセルされないために否定結果を得ると、ステップＳＰ６に戻る。これによりバックアップ実行部４５は、この後、ステップＳＰ６又はステップＳＰ７において肯定結果を得るまでの間、当該ステップＳＰ６及びステップＳＰ７の処理を循環的に繰り返し実行することで、バックアップの実行が指示されることを待ち受ける。そしてステップＳＰ６においてバックアップ実行部４５は、ユーザによりバックアップ実行指示画面４７上でバックアップ実行ボタン４８が選択指示されて肯定結果を得ると、ステップＳＰ８に移る。ステップＳＰ８においてバックアップ実行部４５は、記憶部２２から装置識別情報３６としての少なくとも装置シリアル番号情報及びモデル名情報をＲＡＭ２３に読み出して一時的に記憶し、次のステップＳＰ９に移る。ステップＳＰ９においてバックアップ実行部４５は、記憶部２２から装置個別情報３７としての少なくともバージョン情報をＲＡＭ２３に読み出して一時的に記憶し、次のステップＳＰ１０に移る。ステップＳＰ１０においてバックアップ実行部４５は、記憶部２２から装置設定情報３８をＲＡＭ２３に読み出して一時的に記憶する。次いでステップＳＰ１１において提示画像生成部５１は、バックアップ実行部４５によりＲＡＭ２３に読み出された装置設定情報３８に基づき、設定項目情報及び設定内容情報をリスト化して例えば、ＪＰＥＧ（Joint  Photographic  Experts  Group）フォーマットのような所定フォーマットの設定情報提示画像として提示するための設定情報提示画像ファイルを生成する。因みに、提示画像生成部５１は、例えば、この際にバックアップ実行部４５が生成したバックアップファイルのファイル名（すなわち、拡張子を除く部分）を、そのまま設定情報提示画像ファイルのファイル名（すなわち、拡張子を除く部分）として流用している。続いてステップＳＰ１２においてバックアップ実行部４５は、この際に検出した現在日時をバックアップファイルの作成日時を示す作成日時情報としてＲＡＭ２３に一時的に記憶すると共に、設定情報提示画像ファイルのファイル名を示すファイル名情報もＲＡＭ２３に一時的に記憶し、さらにＲＡＭ２３に一時的に記憶した装置設定情報３８等の種々の情報全体のサイズを、バックアップファイルのファイルサイズを示すファイルサイズ情報として当該ＲＡＭ２３に一時的に記憶する。このようにしてバックアップ実行部４５は、ＲＡＭ２３上で、これに一時的に記憶した装置設定情報３８等の種々の情報からなる図８に示すような、バックアップファイル５２を作成する。バックアップファイル５２は、例えば、装置シリアル番号情報、モデル名情報、バージョン情報、作成日時情報、ファイル名情報及びファイルサイズ情報がバックアップファイル５２を個別に識別するためのファイル識別情報５３として格納されると共に、装置設定情報３８が格納され、ヘッダに当該バックアップファイル５２のファイル名（図示せず）が付���されて生成されている。そしてバックアップ実行部４５は、バックアップファイル５２を設定情報提示画像ファイルと共にネットワーク通信部３０からバックアップ装置１１へ送信した後、当該バックアップ装置１１との通信を遮断して次のステップＳＰ１３に移り、設定情報バックアップ実行処理手順ＲＴ１を終了する。
【００２１】
因みに、上述したステップＳＰ２においてバックアップ実行部４５は、今回実行する処理が装置設定情報３８のバックアップではなくリストアであるためにリストア実行部４６から設定情報バックアップ実行処理の終了が指示され、又はシステム制御部３５からユーザによる操作パネル２４の操作に応じてバックアップリストア選択画面４０の表示を終了したために設定情報バックアップ実行処理の終了が指示されて肯定結果を得ると、バックアップ装置１１との通信を遮断してステップＳＰ１３に移り、設定情報バックアップ実行処理手順ＲＴ１を終了する。また上述したステップＳＰ７においてバックアップ実行部４５は、ユーザにより今回の装置設定情報３８のバックアップが見送られ、バックアップ実行指示画面４７上でキャンセルボタン４９が選択指示されて肯定結果を得ると、次のステップＳＰ１４に移り、バックアップのキャンセルを通知するバックアップキャンセルデータをネットワーク通信部３０からバックアップ装置１１へ送信した後、当該バックアップ装置１１との通信を遮断してステップＳＰ１３に移り、設定情報バックアップ実行処理手順ＲＴ１を終了する。このようにしてバックアップ実行部４５は、ユーザの指示に応じてバックアップ装置１１にＭＦＰ５の装置設定情報３８をバックアップファイル５２としてバックアップ（記憶保持）することができる。なおシステム制御部３５は、バックアップ実行部４５によるバックアップ装置１１への装置設定情報３８のバックアップが完了すると、この際にバックアップ実行部４５が検出していた現在日時を装置設定情報３８としてのバックアップ日時情報として記憶部２２に記憶して更新する。
【００２２】
一方、リストア実行部４６は、表示部２５にバックアップリストア選択画面４０が表示されると、例えば、図９に示す第１設定情報リストア実行処理手順ＲＴ２を開始する。リストア実行部４６は、第１設定情報リストア実行処理手順ＲＴ２を開始すると、ステップＳＰ２１において装置設定情報３８のリストアが要求されたか否かを判別し、否定結果を得ると、次のステップＳＰ２２に移り、第１設定情報リストア実行処理を終了するか否かを判別する。そしてリストア実行部４６は、バックアップ実行部４５やシステム制御部３５から設定情報リストア実行処理の終了が指示されないために否定結果を得ると、ステップＳＰ２１に戻る。これによりリストア実行部４６は、この後、ステップＳＰ２１又はステップＳＰ２２において肯定結果を得るまでの間、当該ステップＳＰ２１及びステップＳＰ２２の処理を循環的に繰り返し実行することで、装置設定情報３８のリストアが要求されることを待ち受ける。そしてステップＳＰ２１においてリストア実行部４６は、ユーザによりバックアップリストア選択画面４０上でリストア選択ボタン４２が選択指示されて肯定結果を得ると、ステップＳＰ２３に移る。ステップＳＰ２３においてリストア実行部４６は、例えば、装置シリアル番号情報を格納しリストア実行指示画面を要求するリストア画面要求データをネットワーク通信部３０からバックアップ装置１１へ送信して、次のステップＳＰ２４に移る。ステップＳＰ２４においてリストア実行部４６は、バックアップ装置１１から送信されるリストア実行指示画面データを受信したか否かを判別する。このステップＳＰ２４において肯定結果が得られると、このことは、バックアップ装置１１に、リストア画面要求データ内の装置シリアル番号情報で識別されるＭＦＰ５の装置設定情報３８を少なくとも１個以上のバックアップファイル５２としてバックアップしており、バックアップしていたバックアップファイル５２のファイル名リストが合成されたリストア実行指示画面データをネットワーク通信部３０で受信して取り込んだことを表している。よってリストア実行部４６は、係る肯定結果を得ると、次のステップＳＰ２５に移り、表示部２５に、そのリストア実行指示画面データに基づく図１０に示すようなリストア実行指示画面５５を表示した後、次のステップＳＰ２６に移る。リストア実行指示画面５５には、装置設定情報３８のリストアの実行を指示するためのリストア実行ボタン５６と、そのリストアのキャンセルを指示するためのキャンセルボタン５７とが配置されている。またリストア実行指示画面５５には、ファイル名リスト表示欄５８が設けられ、ファイル名リスト表示欄５８に、ＭＦＰ５がバックアップ装置１１にバックアップしていた全てのバックアップファイル５２のファイル名がファイル名リストとして表示されている。
【００２３】
ステップＳＰ２６においてリストア実行部４６は、リストア対象の装置設定情報３８がバックアップファイル５２のファイル名として選択されたか否かを判別し、否定結果を得ると、次のステップＳＰ２７に移り、装置設定情報３８のリストアがキャンセルされたか否かを判別する。そしてリストア実行部４６は、ユーザによりリストアがキャンセルされないために否定結果を得ると、ステップＳＰ２６に戻る。これによりリストア実行部４６は、この後、ステップＳＰ２６又はステップＳＰ２７において肯定結果を得るまでの間、当該ステップＳＰ２６及びステップＳＰ２７の処理を循環的に繰り返し実行することで、リストア対象の装置設定情報３８が選択されることを待ち受ける。そしてステップＳＰ２６においてリストア実行部４６は、ユーザによりリストア実行指示画面５５上でリストア対象の装置設定情報３８がバックアップファイル５２のファイル名として選択されて肯定結果を得ると、ステップＳＰ２８に移り、リストアの実行が指示されたか否かを判別する。ところでリストア実行部４６は、例えば、タッチ操作によりリストア実行指示画面５５上でリストア対象の装置設定情報３８がファイル名として選択されたことでステップＳＰ２８に移っても、改めて他のファイル名が選択されると、ファイル名の先の選択を解除し、新たな選択を有効にしている。またリストア実行部４６は、例えば、タッチ操作により選択されたファイル名が再びタッチ操作されると、その選択を解除して何れのファイル名も選択されていない状態に戻す。そしてリストア実行部４６は、ステップＳＰ２８において例えば、タッチ操作により一度選択されたファイル名が再びタッチ操作されて、その選択を解除する（すなわち、何れのファイル名も選択されていない状態に戻す）ことで否定結果を得ると、ステップＳＰ２６に戻る。よってリストア実行部４６は、この場合、ステップＳＰ２６乃至ステップＳＰ２８の何れかで肯定結果を得るまでの間、当該ステップＳＰ２６乃至ステップＳＰ２８の処理を循環的に繰り返し実行することで、ユーザによりリストア実行指示画面５５上でリストア対象の装置設定情報３８がファイル名として選択され、そのうえでリストアの実行が指示されることを待ち受ける。そしてステップＳＰ２８においてリストア実行部４６は、ユーザによりバックアップ実行指示画面４７上でリストア対象の装置設定情報３８がファイル名として選択されたうえで、リストア実行ボタン５６が選択指示されて肯定結果を得ると、ステップＳＰ２９に移る。ステップＳＰ２９においてリストア実行部４６は、ユーザにより最終的にリストア用として選択されたファイル名（以下、これをリストア用選択ファイル名とも呼ぶ）を示すリストア用選択ファイル名情報を格納し、バックアップファイル５２のダウンロードを要求するファイル要求データをネットワーク通信部３０からバックアップ装置１１へ送信して、次のステップＳＰ３０に移る。よってステップＳＰ３０においてリストア実行部４６は、バックアップ装置１１からリストア用選択ファイル名のバックアップファイル５２が送信されることを待ち受け、そのバックアップファイル５２をネットワーク通信部３０で受信して取り込むと、次のステップＳＰ３１に移る。これによりステップＳＰ３１においてリストア実行部４６は、バックアップファイル５２から装置設定情報３８を取り出して記憶部２２に送出することにより、当該装置設定情報３８を記憶部２２において、すでに記憶していた装置設定情報３８に上書きする。このようにしてリストア実行部４６は、装置設定情報３８をリストアし、これが完了すると、リストア完了通知データをネットワーク通信部３０からバックアップ装置１１へ送信した後、当該バックアップ装置１１との通信を遮断して、次のステップＳＰ３２に移り、第１設定情報リストア実行処理手順ＲＴ２を終了する。
【００２４】
ところで、上述したステップＳＰ２２においてリストア実行部４６は、今回実行する処理が装置設定情報３８のリストアではなくバックアップであるためにバックアップ実行部４５から第１設定情報リストア実行処理の終了が指示され、又はシステム制御部３５からユーザによる操作パネル２４の操作に応じてバックアップリストア選択画面４０の表示を終了したために第１設定情報リストア実行処理の終了が指示されて肯定結果を得ると、バックアップ装置１１との通信を遮断してステップＳＰ３２に移り、第１設定情報リストア実行処理手順ＲＴ２を終了する。また上述したステップＳＰ２４において否定結果が得られると、このことはバックアップ装置１１に、リストア画面要求データ内の装置シリアル番号情報で識別されるＭＦＰ５の装置設定情報３８をバックアップファイル５２としてはバックアップしていなかったため、バックアップ装置１１から送信された、装置設定情報３８をリストアし得ないことを通知するリストア不可通知画面データをネットワーク通信部３０で受信して取り込んだことを表している。よってステップＳＰ２４においてリストア実行部４６は、係る否定結果を得ると、表示部２５に、そのリストア不可通知画面データに基づくリストア不可通知画面を表示して、ユーザに装置設定情報３８をリストアし得ないことを通知した後、バックアップ装置１１との通信を遮断してステップＳＰ３２に移り、第１設定情報リストア実行処理手順ＲＴ２を終了する。さらに上述したステップＳＰ２７においてリストア実行部４６は、ユーザにより今回の装置設定情報３８のリストアが見送られ、リストア実行指示画面５５上でキャンセルボタン５７が選択指示されて肯定結果を得ると、ステップＳＰ３３に移り、リストアのキャンセルを通知するリストアキャンセルデータをネットワーク通信部３０からバックアップ装置１１へ送信した後、当該バックアップ装置１１との通信を遮断してステップＳＰ３１に移って、第１設定情報リストア実行処理手順ＲＴ２を終了する。このようにしてリストア実行部４６は、ユーザの指示に応じてバックアップ装置１１から送信されるＭＦＰ５のバックアップファイル５２を受信し、そのバックアップファイル５２をもとに装置設定情報３８をリストアすることができる。
【００２５】
またリストア実行部４６は、ユーザによる操作パネル２４の操作に応じてシステム制御部３５がネットワーク通信部３０を介してバックアップ装置１１と通信接続すると、例えば、図１１に示す第２設定情報リストア実行処理手順ＲＴ３を開始する。リストア実行部４６は、第２設定情報リストア実行処理手順ＲＴ３を開始すると、ステップＳＰ４１においてリストア支援端末１２による支援のもとバックアップ装置１１から送信されるバックアップファイル５２を受信したか否かを判別し、否定結果を得ると、次のステップＳＰ４２に移り、第２設定情報リストア実行処理を終了するか否かを判別する。そしてリストア実行部４６は、システム制御部３５から第２設定情報リストア実行処理の終了が指示されないために否定結果を得ると、ステップＳＰ４１に戻る。これによりリストア実行部４６は、この後、ステップＳＰ４１又はステップＳＰ４２において肯定結果を得るまでの間、当該ステップＳＰ４１及びステップＳＰ４２の処理を循環的に繰り返し実行することで、バックアップ装置１１からバックアップファイル５２が送信されることを待ち受ける。そしてステップＳＰ４１においてリストア実行部４６は、リストア支援端末１２による支援のもとバックアップ装置１１から送信されたバックアップファイル５２をネットワーク通信部３０で受信して取り込み肯定結果を得ると、ステップＳＰ４３に移る。よってステップＳＰ４３においてリストア実行部４６は、バックアップファイル５２から装置設定情報３８を取り出して記憶部２２に送出し、当該装置設定情報３８を記憶部２２において、すでに記憶していた装置設定情報３８に上書きする。このようにしてリストア実行部４６は、装置設定情報３８をリストアし、これが完了すると、ステップＳＰ４４に移ってリストア完了通知データをネットワーク通信部３０からバックアップ装置１１へ送信した後、当該バックアップ装置１１との通信を遮断して、次のステップＳＰ４５に移り、第２設定情報リストア実行処理手順ＲＴ３を終了する。因みに、上述したステップＳＰ４２においてリストア実行部４６は、システム制御部３５からユーザによる操作パネル２４の操作に応じてバックアップ装置１１との通信を遮断したために第２設定情報リストア実行処理の終了が指示されて肯定結果を得ると、ステップＳＰ４５に移って第２設定情報リストア実行処理手順ＲＴ３を終了する。このようにしてリストア実行部４６は、メンテナンス作業者によるリストア支援端末１２の操作に応じて、バックアップ装置１１から送信されるバックアップファイル５２を受信し、そのバックアップファイル５２をもとに装置設定情報３８をリストアすることができる。
【００２６】
（１−３）バックアップ装置の回路構成
次いで、バックアップ装置１１の回路構成について説明する。図１２に示すように、バックアップ装置１１は、ＣＰＵ又はマイクロプロセッサ等の制御部６０に内部バス６１を介して、上述した基本プログラムや、登録実行プログラム、設定情報記憶プログラム、第１設定情報送信プログラム及び第２設定情報送信プログラム等の各種プログラムが予め記憶されたハードディスクドライブ又は不揮発性の半導体メモリ等である記憶部６２と、当該制御部６０のワークエリアであるＲＡＭ６３とが接続されると共に、キーボードやマウス等の入力デバイス、及びＬＣＤ（Liquid  Crystal  Display）等の表示部からなる操作表示部６４が接続されている。またバックアップ装置１１は、制御部６０に内部バス６１を介してネットワーク通信部６５も接続され、当該ネットワーク通信部６５が外部ネットワーク１０に接続されている。そして制御部６０は、記憶部６２から各種プログラムを適宜、ＲＡＭ６３に読み出して展開することにより、そのＲＡＭ６３上で展開した各種プログラムに従ってバックアップ装置１１全体を制御すると共に、所定の演算処理や、操作表示部６４からオペレータの操作によって入力される操作コマンドに応じた各種処理を実行する。なお、以下には、図１２において制御部６０が各種プログラムに従って実現する各種機能をそれぞれ便宜上、機能回路ブロックとして示して、当該制御部６０が各種プログラムに従って実行する種々の処理を、その機能回路ブロックが実行する処理として具体的に説明する。なお、バックアップ装置１１は、以下に示す機能回路ブロックと同様の処理を実行可能なハードウェア構成の回路ブロックを設け、制御部６０が実行する種々の処理を、その回路ブロックによって実行するように構成することもできる。システム制御部６６は、例えば、ＰＣ７とネットワーク通信部６５を介して通信してＭＦＰ５、６のユーザ登録が要求されると、登録画面データを送信する。その結果、システム制御部６６は、ＰＣ７から登録画面データに基づく登録画面上で入力された装置登録情報が返信されると、これを記憶部６２に記憶することでＭＦＰ５、６をユーザ登録して、そのＭＦＰ５、６に対し装置設定情報３８のバックアップ及びリストアにバックアップ装置１１の利用を許可する。ところで、図１３に示すように、システム制御部６６は、記憶部６２に、ユーザ登録したＭＦＰ５、６の装置識別情報３６としての例えば、装置シリアル番号を示す装置シリアル番号情報６７と、当該装置シリアル番号及びバックアップ装置１１のネットワークアドレスを符号化して生成した上述の２次元コード４３とを対応付けて示す登録装置リスト６８を記憶している。よってシステム制御部６６は、ＭＦＰ５、６をユーザ登録する毎に、装置登録情報に含まれる装置シリアル番号情報６７が示す装置シリアル番号と、バックアップ装置１１のネットワークアドレスとを符号化して２次元コード４３を生成し、記憶部６２に当該装置シリアル番号情報６７及び２次元コード４３を対応付けて記憶することで、登録装置リスト６８を、これら対応付けた装置シリアル番号情報６７及び２次元コード４３を追加して更新している。
【００２７】
また端末登録実行部７０は、システム制御部６６がネットワーク通信部６５を介してリストア支援端末１２と通信接続したことで、記憶部６２から予め記憶されたメニュー画面データを読み出してネットワーク通信部６５からリストア支援端末１２へ送信すると、図１４に示す登録実行処理手順ＲＴ４を開始する。端末登録実行部７０は、登録実行処理手順ＲＴ４を開始すると、ステップＳＰ５１においてリストア支援端末１２から送信される登録画面要求データを受信したか否かを判別し、当該登録画面要求データをネットワーク通信部６５で受信して取り込み肯定結果を得ると、次のステップＳＰ５２に移る。ステップＳＰ５２において端末登録実行部７０は、記憶部６２から予め記憶された端末登録画面データを読み出してネットワーク通信部６５からリストア支援端末１２へ送信することで、当該リストア支援端末１２に端末登録画面データに基づく端末登録画面を表示させて、次のステップＳＰ５３に移る。よってステップＳＰ５３において端末登録実行部７０は、リストア支援端末１２からリストア支援端末１２の登録を依頼する端末登録依頼データが送信されることを待ち受ける。因みに、端末登録依頼データには、リストア支援端末１２において端末登録画面上で入力されたリストア支援端末１２の端末電話番号を示す端末電話番号情報、及びそのリストア支援端末１２がリストアを支援する１台のＭＦＰ５、６の装置識別情報３６としての装置シリアル番号情報が端末登録情報として格納されている。そして端末登録実行部７０は、リストア支援端末１２から送信された端末登録依頼データをネットワーク通信部６５で受信して取り込むと、次のステップＳＰ５４に移る。ステップＳＰ５４において端末登録実行部７０は、端末登録依頼データから端末登録情報としての端末電話番号情報及び装置シリアル番号情報を取り出し、その装置シリアル番号情報に基づき、登録装置リスト６８（図１３）に含まれる装置シリアル番号情報６７の中から一致するものを検索する。そして端末登録実行部７０は、記憶部６２に端末電話番号情報６９を記憶することで、登録装置リスト６８を、その検索した装置シリアル番号情報６７に当該端末電話番号情報６９を対応付けて追加して更新する。すなわち、端末登録実行部７０は、登録装置リスト６８を利用してリストア支援端末１２を１台のＭＦＰ５、６と対応付けて端末登録して、次のステップＳＰ５５に移る。ステップＳＰ５５において端末登録実行部７０は、記憶部６２から予め記憶された登録完了通知画面データを読み出してネットワーク通信部６５からリストア支援端末１２へ送信することで、当該リストア支援端末１２に登録完了通知画面データに基づく登録完了通知画面を表示させて、次のステップＳＰ５６に移り、登録実行処理手順ＲＴ４を終了する。このようにして端末登録実行部７０は、リストア支援端末１２を、これがリストアを支援する１台のＭＦＰ５、６と対応付けて端末登録して、そのリストア支援端末１２に当該ＭＦＰ５、６への装置設定情報３８のリストアの支援にバックアップ装置１１を利用することを許可する。そして端末登録実行部７０は、リストア支援端末１２に表示させた登録完了通知画面を介して端末登録の完了をメンテナンス作業者に通知する。ところで、端末登録実行部７０は、１台のリストア支援端末１２からそれぞれ異なるＭＦＰ５、６と対応付けて端末登録するように依頼されると、その都度、上述した一連の登録実行処理を実行することで、登録装置リスト６８を利用して当該１台のリストア支援端末１２を、これがリストアを支援する複数台のＭＦＰ５、６各々と対応付けて端末登録する。なお、図１を用いて上述したバックアップシステム１では、リストア支援端末１２を１台しか示していないが、他にも複数台のリストア支援端末が存在している。このため端末登録実行部７０は、これら他のリストア支援端末についても同様に登録している。
【００２８】
また図１５に示すように、システム制御部６６は、記憶部６２に、ファームウェアにより規定されたＭＦＰ５、６の動作形態の設定フォーマットを示すデータテーブル（以下、これをフォーマットテーブルとも呼ぶ）７１を記憶している。フォーマットテーブル７１には、例えば、初期のフォーマットバージョンから最新のフォーマットバージョンまでの設定フォーマット毎の複数の設定項目を示す設定項目情報７２が、当該設定項目の種類を重複させずに格納されている。またフォーマットテーブル７１には、設定項目情報７２が示す設定項目各々を初めて採用した設定フォーマットのフォーマットバージョンを示す初採用バージョン情報７３が、当該設定項目情報７２に対応付けて格納されている。さらにフォーマットテーブル７１には、フォーマットバージョン毎の複数の設定項目に対する初期状態の設定内容を示す初期設定内容情報７４が、当該設定項目を示す設定項目情報７２に対応付けて格納されている。なお、システム制御部６６は、ＭＦＰ５、６のメーカによるファームウェアの改訂に伴い設定フォーマットに設定項目や設定内容等が追加される毎に、外部からの入力に応じて、記憶部６２に記憶しているフォーマットテーブル７１の内容を更新して、そのフォーマットテーブル７１に設定フォーマットの変更と共にフォーマットバージョンの更新を反映させている。
【００２９】
次いで、バックアップ処理部７５がＭＦＰ５、６から装置設定情報３８をバックアップファイル５２として受け取って記憶する設定情報記憶処理と、リストア処理部７６がＭＦＰ５、６にリストア対象の装置設定情報３８をバックアップファイル５２として送信する第１及び第２設定情報送信処理とについて順に説明する。ただし、以下には、設定情報記憶処理と第１及び第２設定情報送信処理とを便宜上、２台のＭＦＰ５、６のうち一方のＭＦＰ５に対して実施する場合を例にして説明する。まずシステム制御部６６は、ネットワーク通信部６５を介してＭＦＰ５と通信接続して、当該ＭＦＰ５から送信された選択画面要求データをネットワーク通信部６５で受信して取り込むと、当該選択画面要求データから装置シリアル番号情報を取り出す。またシステム制御部６６は、その装置シリアル番号情報に基づき、記憶部６２から登録装置リスト６８内の対応する２次元コード４３を読み出すと共に、当該記憶部６２から予め記憶されたバックアップリストア選択画面データを読み出して２次元コード４３を合成した後、ネットワーク通信部６５からＭＦＰ５へ送信する。これによりシステム制御部６６は、ＭＦＰ５において表示部２５に上述したバックアップリストア選択画面４０を表示させる。そしてバックアップ処理部７５は、システム制御部６６がＭＦＰ５にバックアップリストア選択画面データを送信すると、図１６に示す設定情報記憶処理手順ＲＴ５を開始する。バックアップ処理部７５は、設定情報記憶処理手順ＲＴ５を開始すると、ステップＳＰ６１においてＭＦＰ５から送信されるバックアップ画面要求データを受信したか否かを判別し、否定結果を得ると、次のステップＳＰ６２に移り、設定情報記憶処理を終了するか否かを判別し、この場合も否定結果を得ると、ステップＳＰ６１に戻る。これによりバックアップ処理部７５は、この後、ステップＳＰ６１又はステップＳＰ６２において肯定結果を得るまでの間、当該ステップＳＰ６１及びステップＳＰ６２の処理を循環的に繰り返し実行することで、ＭＦＰ５からバックアップ画面要求データが送信されることを待ち受ける。そしてステップＳＰ６１においてバックアップ処理部７５は、ＭＦＰ５から送信されたバックアップ画面要求データをネットワーク通信部６５で受信して取り込み肯定結果を得ると、ステップＳＰ６３に移る。よってステップＳＰ６３においてバックアップ処理部７５は、記憶部６２から予め記憶されたバックアップ実行指示画面データを読み出してネットワーク通信部６５からＭＦＰ５へ送信する。これによりバックアップ処理部７５は、ＭＦＰ５において表示部２５に上述したバックアップ実行指示画面４７を表示させて、次のステップＳＰ６４に移る。
【００３０】
ステップＳＰ６４においてバックアップ処理部７５は、ＭＦＰ５から送信されるバックアップファイル５２を受信したか否かを判別し、否定結果を得ると、次のステップＳＰ６５に移って、ＭＦＰ５から送信されるバックアップキャンセルデータを受信したか否かを判別し、この場合も否定結果を得ると、ステップＳＰ６４に戻る。これによりバックアップ処理部７５は、この後、ステップＳＰ６４又はステップＳＰ６５において肯定結果を得るまでの間、当該ステップＳＰ６４及びステップＳＰ６５の処理を循環的に繰り返し実行することで、ＭＦＰ５からバックアップファイル５２が送信されることを待ち受ける。そしてステップＳＰ６４においてバックアップ処理部７５は、ＭＦＰ５から送信されたバックアップファイル５２及び設定情報提示画像ファイル７７をネットワーク通信部６５で受信して取り込み肯定結果を得ると、ステップＳＰ６６に移る。よってステップＳＰ６６においてバックアップ処理部７５は、記憶部６２にバックアップファイル５２を記憶して、次のステップＳＰ６７に移り、当該記憶部６２に設定情報提示画像ファイル７７も記憶した後、次のステップＳＰ６８に移って、設定情報記憶処理手順ＲＴ５を終了する。因みに、上述したステップＳＰ６２においてバックアップ処理部７５は、ＭＦＰ５又はリストア支援端末１２から装置設定情報３８のリストアの要求を受けたリストア処理部７６により設定情報記憶処理の終了が指示され、又はシステム制御部６６からＭＦＰ５との通信が遮断されたことで設定情報記憶処理の終了が指示されて肯定結果を得ると、ステップＳＰ６８に移り、設定情報記憶処理手順ＲＴ５を終了する。また上述したステップＳＰ６５においてバックアップ処理部７５は、ＭＦＰ５から送信されたバックアップキャンセルデータをネットワーク通信部６５で受信して取り込み肯定結果を得ると、この場合もステップＳＰ６８に移り、設定情報記憶処理手順ＲＴ５を終了する。このようにしてバックアップ処理部７５は、ＭＦＰ５、６から受け取ったバックアップファイル５２を記憶部６２に記憶することで、当該ＭＦＰ５、６の装置設定情報３８をバックアップすることができる。またバックアップ処理部７５は、この際、ＭＦＰ５、６からバックアップファイル５２と共に受け取った設定情報提示画像ファイル７７も記憶部６２に記憶することで、当該ＭＦＰ５、６がバックアップした装置設定情報３８を後述するように設定情報提示画像ファイル７７として確認可能にしている。
【００３１】
一方、リストア処理部７６は、上述したようにシステム制御部６６がＭＦＰ５にバックアップリストア選択画面データを送信すると、図１７に示す第１設定情報送信処理手順ＲＴ６を開始する。リストア処理部７６は、第１設定情報送信処理手順ＲＴ６を開始すると、ステップＳＰ７１においてＭＦＰ５から送信されるリストア画面要求データを受信したか否かを判別し、否定結果を得ると、次のステップＳＰ７２に移って、第１設定情報送信処理を終了するか否かを判別し、この場合も否定結果を得ると、ステップＳＰ７１に戻る。これによりリストア処理部７６は、この後、ステップＳＰ７１又はステップＳＰ７２において肯定結果を得るまでの間、当該ステップＳＰ７１及びステップＳＰ７２の処理を循環的に繰り返し実行することで、ＭＦＰ５からリストア画面要求データが送信されることを待ち受ける。そしてステップＳＰ７１においてリストア処理部７６は、ＭＦＰ５から送信されたリストア画面要求データをネットワーク通信部６５で受信して取り込み肯定結果を得ると、ステップＳＰ７３に移る。ステップＳＰ７３においてリストア処理部７６は、リストア画面要求データから装置シリアル番号情報を取り出すと共に、その装置シリアル番号情報に基づき、記憶部６２上で当該装置シリアル番号情報と同一の装置シリアル番号情報が格納されたバックアップファイル５２を探索して、現在通信接続中のＭＦＰ５の装置設定情報３８をバックアップしているか否かを判別する。その結果、ステップＳＰ７３においてリストア処理部７６は、記憶部６２に、現在通信接続中のＭＦＰ５の装置設定情報３８を少なくとも１個以上のバックアップファイル５２としてすでにバックアップしており、そのＭＦＰ５への装置設定情報３８のリストアが可能であるために肯定結果を得ると、次のステップＳＰ７４に移る。よってステップＳＰ７４においてリストア処理部７６は、装置シリアル番号情報に基づき記憶部６２上で検索した、現在通信接続中のＭＦＰ５の全てのバックアップファイル５２のファイル名をリスト化したファイル名リストを生成する。またリストア処理部７６は、記憶部６２から予め記憶されたリストア実行指示画面データを読み出し、そのファイル名リストを合成した後、ネットワーク通信部６５からＭＦＰ５へ送信する。これによりリストア処理部７６は、ＭＦＰ５において表示部２５に上述したリストア実行指示画面５５を表示させて、次のステップＳＰ７５に移る。
【００３２】
ステップＳＰ７５においてリストア処理部７６は、ＭＦＰ５から送信されるファイル要求データを受信したか否かを判別し、否定結果を得ると、次のステップＳＰ７６に移って、装置設定情報３８から送信されるリストアキャンセルデータを受信したか否かを判別し、この場合も否定結果を得ると、ステップＳＰ７５に戻る。これによりリストア処理部７６は、この後、ステップＳＰ７５又はステップＳＰ７６において肯定結果を得るまでの間、当該ステップＳＰ７５及びステップＳＰ７６の処理を循環的に繰り返し実行することで、ＭＦＰ５からファイル要求データが送信されることを待ち受ける。そしてステップＳＰ７５においてリストア処理部７６は、ＭＦＰ５から送信されたファイル要求データをネットワーク通信部６５で受信して取り込み肯定結果を得ると、ステップＳＰ７７に移る。ステップＳＰ７７においてリストア処理部７６は、ファイル要求データからリストア対象の装置設定情報３８を示すリストア用選択ファイル名情報を取り出して設定情報修正部７８へ送出する。この際、設定情報修正部７８は、リストア用選択ファイル名情報に基づき、記憶部６２からリストア用選択ファイル名のバックアップファイル５２を読み出す。また設定情報修正部７８は、リストア処理部７６が生成していたファイル名リストに基づき、現在通信接続中のＭＦＰ５の全てのバックアップファイル５２のうち最新のバックアップファイル５２を検索する。そして設定情報修正部７８は、その検索したバックアップファイル５２に格納されたバージョン情報が示すフォーマットバージョンを比較基準バージョンとし、リストア用選択ファイル名のバックアップファイル５２に格納されたバージョン情報が示すフォーマットバージョンを比較対象バージョンとして、これらを比較することで当該比較基準バージョンと比較対象バージョンとが同一であるか否かを判別する。このステップＳＰ７７において肯定結果が得られると、このことは比較基準バージョンと比較対象バージョンとが同一であるため、リストア用選択ファイル名として選択されたリストア対象の装置設定情報３８が、そのリストア先であるＭＦＰ５の現在の設定フォーマットに準じた動作形態の設定内容を示しており、ＭＦＰ５に当該装置設定情報３８を何ら修正せずにリストアさせても、その動作形態の設定に従ってＭＦＰ５の機能を十分に発揮させ得ることを表している。このためステップＳＰ７７において設定情報修正部７８は、係る肯定結果を得ると、リストア用選択ファイル名のバックアップファイル５２をそのまま（すなわち、装置設定情報３８を特には修正せずに）リストア対象としてリストア処理部７６に送出する。よってリストア処理部７６は、設定情報修正部７８からリストア用選択ファイル名のバックアップファイル５２がそのまま与えられると、次のステップＳＰ７８に移る。
【００３３】
これに対してステップＳＰ７７において否定結果が得られると、このことは比較対象バージョンが比較基準バージョンよりも過去のフォーマットバージョン（すなわち、比較基準バージョンの設定フォーマットへと変更される何世代か前の設定フォーマットのフォーマットバージョン）であるため、リストア用選択ファイル名として選択されたリストア対象の装置設定情報３８が、そのリストア先であるＭＦＰ５の現在の設定フォーマットよりも過去の設定フォーマットに準じた動作形態の設定内容を示しており、ＭＦＰ５に当該装置設定情報３８を何ら修正せずにリストアさせると、その動作形態の設定ではＭＦＰ５の機能を十分に発揮させ難い可能性があることを表している。このためステップＳＰ７７において設定情報修正部７８は、係る否定結果を得ると、ステップＳＰ７９に移る。そしてステップＳＰ７９において設定情報修正部７８は、比較対象バージョン及び比較基準バージョンと記憶部６２内のフォーマットテーブル７１とに基づき、当該比較対象バージョンの設定フォーマットから比較基準バージョンの設定フォーマットまでに追加された設定項目（以下、これを追加項目とも呼ぶ）、及び設定内容の種類が変更された設定項目（以下、これを変更項目とも呼ぶ）を全て検出する。また設定情報修正部７８は、記憶部６２からフォーマットテーブル７１に記述されている追加項目を示す設定項目情報７２と、当該追加項目及び変更項目にそれぞれ対応する初期設定内容情報７４とを読み出す。そして設定情報修正部７８は、リストア用選択ファイル名のバックアップファイル５２から、リストア対象の装置設定情報３８を取り出し、当該装置設定情報３８を、追加項目を示す設定項目情報７２と共に当該追加項目に対応する初期設定内容情報７４を追加し、また変更項目に対応する設定内容情報を設定内容の種類の変更に応じた初期設定内容情報７４に変更する。また設定情報修正部７８は、そのリストア用選択ファイル名のバックアップファイル５２においてすでに格納されている比較対象バージョンを示すバージョン情報を、比較基準バージョンを示すバージョン情報へ変更する。このようにして設定情報修正部７８は、リストア用選択ファイル名のバックアップファイル５２において、バックアップ時に格納されていた比較対象バージョンの設定フォーマットに応じた装置設定情報３８を、比較基準バージョンの設定フォーマットに応じた装置設定情報３８に修正して、当該装置設定情報３８を修正したバックアップファイル５２をリストア処理部７６に送出する。よってリストア処理部７６は、設定情報修正部７８からリストア用選択ファイル名のバックアップファイル５２が装置設定情報３８を修正して与えられると、次のステップＳＰ７８に移る。これによりステップＳＰ７８においてリストア処理部７６は、設定情報修正部７８から与えられた未修正、又は修正済みの装置設定情報３８が格納されたバックアップファイル５２をネットワーク通信部６５からＭＦＰ５へ送信した後、次のステップＳＰ８０に移り、第１設定情報送信処理手順ＲＴ６を終了する。
【００３４】
因みに、上述したステップＳＰ７２においてリストア処理部７６は、ＭＦＰ５から装置設定情報３８のバックアップの要求を受けたバックアップ処理部７５から第１設定情報送信処理の終了が指示され、又はシステム制御部６６からＭＦＰ５との通信が遮断されたことで第１設定情報送信処理の終了が指示されて肯定結果を得ると、ステップＳＰ８０に移り、第１設定情報送信処理手順ＲＴ６を終了する。またステップＳＰ７３においてリストア処理部７６は、記憶部６２に、現在通信接続中のＭＦＰ５の装置設定情報３８をバックアップファイル５２として全くバックアップしていないために否定結果を得ると、ステップＳＰ８１に移る。そしてステップＳＰ８１においてリストア処理部７６は、記憶部６２から予め記憶された、装置設定情報３８をリストアし得ないことを通知するためのリストア不可通知画面データを読み出してネットワーク通信部６５からＭＦＰ５へ送信した後、ステップＳＰ８０に移り、第１設定情報送信処理手順ＲＴ６を終了する。さらに上述したステップＳＰ７６においてリストア処理部７６は、ＭＦＰ５から送信されたリストアキャンセルデータをネットワーク通信部６５で受信して取り込み肯定結果を得ると、この場合もステップＳＰ８０に移り、第１設定情報送信処理手順ＲＴ６を終了する。このようにしてリストア処理部７６は、リストアを要求したＭＦＰ５、６からすでにバックアップファイル５２として受け取ってバックアップしていた装置設定情報３８を、当該リストアを要求したＭＦＰ５、６へ送信してリストアさせることができる。
【００３５】
ところで、図１８に示すように、記憶部６２に記憶されたバックアップファイル５２、７９には、ファイル識別情報の一部として当該バックアップファイル５２、７９（すなわち、装置設定情報３８）のバックアップを依頼したＭＦＰ５、６の装置シリアル番号情報が格納されている。また記憶部６２に記憶された登録装置リスト６８には、上述したようにＭＦＰ５、６毎の装置シリアル番号情報６７と、当該ＭＦＰ５、６への装置設定情報３８のリストアの支援が可能なリストア支援端末１２の端末電話番号情報６９とが対応付けて格納されている。よってバックアップ装置１１は、記憶部６２上で登録装置リスト６８内の装置シリアル番号情報６７及びバックアップファイル５２、７９内の装置シリアル番号情報により、当該登録装置リスト６８内の端末電話番号情報６９にＭＦＰ５、６のバックアップファイル５２、７９を関連付けている。すなわち、バックアップ装置１１は、端末登録したリストア支援端末１２に、これがリストアを支援するＭＦＰ５、６のバックアップファイル５２、７９（すなわち、装置設定情報３８）を、当該ＭＦＰ５、６へのリストアに使用可能な装置設定情報３８として関連付けている。そしてバックアップ装置１１は、上述したようにリストア支援端末１２を、端末登録により支援対象の１台のＭＦＰ５、６とのみ対応付けることもできるが、支援対象の複数台のＭＦＰ５、６と対応付けることもできる。よってバックアップ装置１１は、例えば、リストア支援端末１２に１台のＭＦＰ５、６のみをリストアの支援対象として対応付けていると、そのリストア支援端末１２において１台のＭＦＰ５、６のバックアップファイル５２、７９の中から当該１台のＭＦＰ５、６に対するリストア用の１個のバックアップファイル５２、７９を任意に選択させている。またバックアップ装置１１は、例えば、リストア支援端末１２に複数台のＭＦＰ５、６をそれぞれリストアの支援対象として対応付けていると、そのリストア支援端末１２において複数台のＭＦＰ５、６のバックアップファイル５２、７９の中から何れか１台のＭＦＰ５、６に対するリストア用の１個のバックアップファイル５２、７９を任意に選択させている。
【００３６】
実際にリストア処理部７６は、例えば、システム制御部６６が上述したように通信接続したリストア支援端末１２へメニュー画面データを送信すると、図１９乃至図２１に示す第２設定情報送信処理手順ＲＴ７を開始する。リストア処理部７６は、第２設定情報送信処理手順ＲＴ７を開始すると、ステップＳＰ９１においてリストア支援端末１２から、これに対応付けられている１又は複数台のＭＦＰ５、６のうち今回、リストアを支援する１台のＭＦＰ５を指定するための支援対象指定画面データを要求するために送信される対象指定画面要求データを受信したか否かを判別し、否定結果を得ると、次のステップＳＰ９２に移って、第２設定情報送信処理を終了するか否かを判別し、この場合も否定結果を得ると、ステップＳＰ９１に戻る。これによりリストア処理部７６は、この後、ステップＳＰ９１又はステップＳＰ９２において肯定結果を得るまでの間、当該ステップＳＰ９１及びステップＳＰ９２の処理を循環的に繰り返し実行することで、リストア支援端末１２から対象指定画面要求データが送信されることを待ち受ける。そしてステップＳＰ９１においてリストア処理部７６は、リストア支援端末１２から送信された対象指定画面要求データをネットワーク通信部６５で受信して取り込み肯定結果を得ると、ステップＳＰ９３に移る。ステップＳＰ９３においてリストア処理部７６は、記憶部６２から予め記憶された支援対象指定画面データを読み出してネットワーク通信部６５からリストア支援端末１２へ送信する。これによりリストア処理部７６は、リストア支援端末１２において支援対象指定画面データに基づく支援対象指定画面を表示させて、次のステップＳＰ９４に移る。ステップＳＰ９４においてリストア処理部７６は、リストア支援端末１２から支援対象指定画面上で今回、リストアを支援する１台のＭＦＰ５が指定されたことで、当該リストア支援端末１２の端末電話番号情報と共に、その指定された１台のＭＦＰ５の装置シリアル番号情報が格納された支援対象通知データが送信されることを待ち受け、その支援対象通知データをネットワーク通信部６５で受信して取り込むと、次のステップＳＰ９５に移る。ステップＳＰ９５においてリストア処理部７６は、支援対象通知データから端末電話番号情報及び装置シリアル番号情報を取り出してＲＡＭ６３に一時的に記憶することで、今回の第２設定情報送信処理において装置設定情報３８のリストアの支援元及び支援対象となるリストア支援端末１２及び１台のＭＦＰ５を判別可能にする。そのうえでリストア処理部７６は、その端末電話番号情報と記憶部６２内の登録装置リスト６８とに基づき、支援元のリストア支援端末１２に対応付けられている全てのＭＦＰ５、６の装置シリアル番号情報６７を検出する。そしてリストア処理部７６は、その検出した１又は複数の装置シリアル番号情報６７に基づき、記憶部６２上で、これら１又は複数の装置シリアル番号情報６７と同一の装置シリアル番号情報が格納されたバックアップファイル５２、７９を探索するようにして、支援元のリストア支援端末１２に対応する１又は複数台のＭＦＰ５、６の装置設定情報３８をバックアップしているか否かを判別する。その結果、リストア処理部７６は、記憶部６２に、支援元のリストア支援端末１２に対応する少なくとも１台以上のＭＦＰ５、６の装置設定情報３８を少なくとも１個以上のバックアップファイル５２としてすでにバックアップしており、支援対象のＭＦＰ５への装置設定情報３８のリストアが可能であるために肯定結果を得ると、次のステップＳＰ９６に移る。ステップＳＰ９６においてリストア処理部７６は、記憶部６２から予め記憶されたリストア支援画面データを読み出して支援対象のＭＦＰ５の装置シリアル番号情報を合成した後、ネットワーク通信部６５からリストア支援端末１２へ送信する。これによりリストア処理部７６は、リストア支援端末１２においてリストア支援画面データに基づくリストア支援画面を表示させて、次のステップＳＰ９７に移る。因みに、リストア支援画面は、リストア支援端末１２においてリストアを要求し、また設定情報提示画像の閲覧を要求させるものである。
【００３７】
ステップＳＰ９７においてリストア処理部７６は、リストア支援端末１２からリストア支援画面上でリストアが要求されると送信されるリストア要求データを受信したか否かを判別し、否定結果を得ると、次のステップＳＰ９８に移り、リストア支援端末１２からリストア支援画面上で設定情報提示画像の閲覧が要求されると送信される画像ファイル名提示画面要求データを受信したか否かを判別する。そしてリストア処理部７６は、否定結果を得ると、ステップＳＰ９９に移り、リストア支援端末１２から送信されるリストアキャンセルデータを受信したか否かを判別し、否定結果を得ると、ステップＳＰ９７に戻る。これによりリストア処理部７６は、この後、ステップＳＰ９７乃至ステップＳＰ９９の何れかで肯定結果を得るまでの間、当該ステップＳＰ９７乃至ステップＳＰ９９の処理を循環的に繰り返し実行することで、リストア支援端末１２からリストア要求データ又は画像ファイル名提示画面要求データが送信されることを待ち受ける。そしてステップＳＰ９７においてリストア処理部７６は、リストア支援端末１２から送信されたリストア要求データをネットワーク通信部６５で受信して取り込み肯定結果を得ると、ステップＳＰ１００に移る。ステップＳＰ１００においてリストア処理部７６は、上述したステップＳＰ９５の処理で１又は複数の装置シリアル番号情報に基づき記憶部６２上で検索していた、支援元のリストア支援端末１２に対応する全てのＭＦＰ５、６のバックアップファイル５２のファイル名をリスト化したファイル名リストを生成する。またリストア処理部７６は、記憶部６２から予め記憶されたバックアップファイル名提示画面データを読み出してファイル名リストを合成した後、ネットワーク通信部６５からリストア支援端末１２へ送信する。これによりリストア処理部７６は、リストア支援端末１２においてバックアップファイル名提示画面データに基づくバックアップファイル名提示画面を表示させて、次のステップＳＰ１０１に移る。ステップＳＰ１０１においてリストア処理部７６は、リストア支援端末１２からバックアップファイル名提示画面上でファイル名リストの中からリストア用選択ファイル名が選択されると、これを示すリストア用選択ファイル名情報が格納されて送信される、リストア対象として選択された装置設定情報３８を通知するためのリストア対象通知データを受信したか否かを判別し、否定結果を得ると、次のステップＳＰ１０２に移る。そしてステップＳＰ１０２においてリストア処理部７６は、リストア支援端末１２からバックアップファイル名提示画面上で装置設定情報３８の選択をキャンセルすると、これを通知するために送信される情報選択キャンセルデータを受信したか否かを判別し、この場合も否定結果を得ると、ステップＳＰ１０１に戻る。これによりリストア処理部７６は、この後、ステップＳＰ１０１又はステップＳＰ１０２において肯定結果を得るまでの間、当該ステップＳＰ１０１及びステップＳＰ１０２の処理を循環的に繰り返し実行することで、リストア支援端末１２からリストア対象通知データが送信されることを待ち受ける。そしてステップＳＰ１０１においてリストア処理部７６は、リストア支援端末１２から送信されたリストア対象通知データをネットワーク通信部６５で受信して取り込み肯定結果を得ると、ステップＳＰ１０３に移る。
【００３８】
ステップＳＰ１０３においてリストア処理部７６は、リストア対象通知データからリストア対象の装置設定情報３８を示すリストア用選択ファイル名情報を取り出して設定情報修正部７８へ送出する。この際、設定情報修正部７８は、リストア用選択ファイル名情報に基づき、記憶部６２からリストア用選択ファイル名のバックアップファイル５２を読み出す。また設定情報修正部７８は、この際、ＲＡＭ６３に一時的に記憶されている装置シリアル番号情報に基づき、記憶部６２から支援対象の１台のＭＦＰ５の全てのバックアップファイル５２のうち最新のバックアップファイル５２を検索して読み出す。そして設定情報修正部７８は、その最新のバックアップファイル５２に格納されたバージョン情報が示すフォーマットバージョンを比較基準バージョンとし、リストア用選択ファイル名のバックアップファイル５２に格納されたバージョン情報が示すフォーマットバージョンを比較対象バージョンとして、上述した第１設定情報送信処理の場合と同様に、これらが同一であるか否かを判別する。その結果、設定情報修正部７８は、比較基準バージョンと比較対象バージョンとが同一であったため肯定結果を得ると、上述したようにリストア対象の装置設定情報３８を特に修正する必要はないため、当該装置設定情報３８にはリストアに際し修正箇所が無いことを通知する修正無通知データをリストア処理部７６に送出する。そしてリストア処理部７６は、設定情報修正部７８から修正無通知データが与えられると、次のステップＳＰ１０４に移る。これに対してステップＳＰ１０３において設定情報修正部７８は、比較対象バージョンが比較基準バージョンよりも過去のフォーマットバージョンであったために否定結果を得ると、上述したようにリストア対象の装置設定情報３８をリストアするにあたり修正する必要があるため、ステップＳＰ１０５に移る。ステップＳＰ１０５において設定情報修正部７８は、比較対象バージョン及び比較基準バージョンと記憶部６２内のフォーマットテーブル７１とに基づき、追加項目及び変更項目を全て検出する。また設定情報修正部７８は、記憶部６２からフォーマットテーブル７１に記述されている追加項目を示す設定項目情報７２と、当該追加項目に対応する初期設定内容情報７４とを読み出すと共に、変更項目を示す設定項目情報７２と、当該変更項目に対応する変更前の初期設定内容情報７４及び変更後の初期設定内容情報７４も読み出す。そして設定情報修正部７８は、これら追加項目及び変更項目に関する設定項目情報７２及び初期設定内容情報７４を用いて、リストア用選択ファイル名として選択されたリストア対象の装置設定情報３８をリストアに際し修正する場合の修正箇所（すなわち、修正内容）を通知する修正箇所通知データを生成し、これをリストア処理部７６に送出する。そしてリストア処理部７６は、その修正箇所通知データが与えられると、ステップＳＰ１０４に移る。ステップＳＰ１０４においてリストア処理部７６は、記憶部６２から予め記憶された修正箇所提示画面データを読み出す。そしてリストア処理部７６は、この際、設定情報修正部７８から修正無通知データが与えられていると、修正箇所提示画面データを、その修正無通知データを合成した後、ネットワーク通信部６５からリストア支援端末１２へ送信して、次のステップＳＰ１０６に移る。これに対してリストア処理部７６は、この際、設定情報修正部７８から修正箇所通知データが与えられていると、修正箇所提示画面データを、その修正箇所通知データを合成した後、ネットワーク通信部６５からリストア支援端末１２へ送信する。これによりリストア処理部７６は、リストア支援端末１２において修正箇所提示画面データに基づく修正箇所提示画面を表示させることで、装置設定情報３８をリストアする際の修正の有無や、修正がある場合には、その修正箇所を通知して、次のステップＳＰ１０６に移る。
【００３９】
そしてステップＳＰ１０６においてリストア処理部７６は、リストア支援端末１２からリストア対象の装置設定情報３８のリストアの実行を指示するために送信されるリストア実行指示データを受信したか否かを判別し、当該リストア実行指示データをネットワーク通信部６５で受信して取り込み肯定結果を得ると、次のステップＳＰ１０７に移る。よってステップＳＰ１０７においてリストア処理部７６は、現在、システム制御部６６が支援対象のＭＦＰ５と通信接続しているか否かを判別し、肯定結果を得ると、次のステップＳＰ１０８に移る。これに対してリストア処理部７６は、現在、システム制御部６６が支援対象のＭＦＰ５と通信接続していないために否定結果を得ると、ステップＳＰ１０９に移る。この際、ステップＳＰ１０９においてリストア処理部７６は、記憶部６２から予め記憶された通信接続指示画面データを読み出してネットワーク通信部６５から支援元のリストア支援端末１２へ送信する。これによりリストア処理部７６は、支援元のリストア支援端末１２において通信接続指示画面データに基づく通信接続指示画面を表示させ、その通信接続指示画面を介してメンテナンス作業者に支援対象のＭＦＰ５をバックアップ装置１１と通信接続するように促して、次のステップＳＰ１１０に移る。そしてステップＳＰ１１０においてリストア処理部７６は、支援対象のＭＦＰ５がシステム制御部６６（すなわち、バックアップ装置１１）と通信接続することを待ち受け、当該支援対象のＭＦＰ５がシステム制御部６６と通信接続すると、ステップＳＰ１０８に移る。ステップＳＰ１０８においてリストア処理部７６は、この際、リストア対象の装置設定情報３８に修正が必要ないと、これをそのまま（すなわち、修正せずに）バックアップファイル５２としてネットワーク通信部６５からＭＦＰ５へ送信して、次のステップＳＰ１１１に移る。これに対してステップＳＰ１０８においてリストア処理部７６は、この際、リストア対象の装置設定情報３８に修正が必要であると、設定情報修正部７８に対し上述した第１設定情報送信処理の場合と同様に装置設定情報３８を修正させた後、当該修正された装置設定情報３８をバックアップファイル５２としてネットワーク通信部６５からＭＦＰ５へ送信して、次のステップＳＰ１１１に移る。ステップＳＰ１１１においてリストア処理部７６は、バックアップファイル５２を受信した支援対象のＭＦＰ５から装置設定情報３８のリストアが完了したことで、その旨を通知するためのリストア完了通知データが送信されることを待ち受け、当該リストア完了通知データをネットワーク通信部６５で受信して取り込み、装置設定情報３８のリストアが完了したことを確認すると、次のステップＳＰ１１２に移る。そしてステップＳＰ１１２においてリストア処理部７６は、記憶部６２から予め記憶されたリストア完了通知画面データを読み出してネットワーク通信部６５からリストア支援端末１２へ送信する。これによりリストア処理部７６は、リストア支援端末１２においてリストア完了通知画面データに基づくリストア完了通知画面を表示させ、そのリストア完了通知画面を介してメンテナンス作業者に支援対象のＭＦＰ５に対する装置設定情報３８のリストアが完了したことを通知した後、次のステップＳＰ１１３に移り、第２設定情報送信処理手順ＲＴ７を終了する。因みに、ステップＳＰ１０６においてリストア処理部７６は、リストア支援端末１２から例えば、リストア対象の装置設定情報３８を選択し直すために送信された選択取消通知データをネットワーク通信部６５で受信して取り込み否定結果を得ると、ステップＳＰ１０１に戻る。よってリストア処理部７６は、上述したステップＳＰ１０１以降の一連の処理を再び実行することで、リストア支援端末１２においてリストア対象の装置設定情報３８を選択し直させることができる。
【００４０】
ところで、上述したステップＳＰ９８においてリストア処理部７６は、リストア支援端末１２から送信された画像ファイル名提示画面要求データをネットワーク通信部６５で受信して取り込み肯定結果を得ると、ステップＳＰ１１４に移る。ステップＳＰ１１４においてリストア処理部７６は、上述したステップＳＰ９５の処理で１又は複数の装置シリアル番号情報に基づき記憶部６２上で検索していた、支援元のリストア支援端末１２に対応する全てのＭＦＰ５、６のバックアップファイル５２から設定情報提示画像ファイル７７のファイル名を示すファイル名情報を取り出してリスト化し、当該設定情報提示画像ファイル７７のファイル名リストを生成する。またリストア処理部７６は、記憶部６２から予め記憶された画像ファイル名提示画面データを読み出して、そのファイル名リストを合成した後、ネットワーク通信部６５からリストア支援端末１２へ送信する。これによりリストア処理部７６は、リストア支援端末１２において画像ファイル名提示画面データに基づく画像ファイル名提示画面を表示させて、次のステップＳＰ１１５に移る。ステップＳＰ１１５においてリストア処理部７６は、リストア支援端末１２から画像ファイル名提示画面上でファイル名リストの中から閲覧を希望する設定情報提示画像がファイル名として選択されると、当該選択されたファイル名（以下、これを閲覧用選択ファイル名とも呼ぶ）を示す閲覧用選択ファイル名情報が格納されて送信される閲覧画像要求データを受信したか否かを判別し、否定結果を得ると、次のステップＳＰ１１６に移る。そしてステップＳＰ１１６においてリストア処理部７６は、リストア支援端末１２から設定情報提示画像の閲覧のキャンセルを通知するために送信される画像閲覧キャンセルデータを受信したか否かを判別し、この場合も否定結果を得ると、ステップＳＰ１１５に戻る。これによりリストア処理部７６は、この後、ステップＳＰ１１５又はステップＳＰ１１６において肯定結果を得るまでの間、当該ステップＳＰ１１５及びステップＳＰ１１６の処理を循環的に繰り返し実行することで、リストア支援端末１２から閲覧画像要求データが送信されることを待ち受ける。そしてステップＳＰ１１５においてリストア処理部７６は、リストア支援端末１２から送信された閲覧画像要求データをネットワーク通信部６５で受信して取り込み肯定結果を得ると、ステップＳＰ１１７に移る。ステップＳＰ１１７においてリストア処理部７６は、閲覧画像要求データから閲覧用選択ファイル名情報を取り出すと共に、その閲覧用選択ファイル名情報に基づき、記憶部６２から閲覧用選択ファイル名の設定情報提示画像ファイル７７を読み出す。またリストア処理部７６は、記憶部６２から予め記憶された情報閲覧画面データを読み出して、その設定情報提示画像ファイル７７内の設定情報提示画像を合成した後、ネットワーク通信部６５からリストア支援端末１２へ送信する。これによりリストア処理部７６は、リストア支援端末１２において情報閲覧画面データに基づく情報閲覧画面を表示させ、その情報閲覧画面を介して設定情報提示画像を閲覧可能にして、ステップＳＰ１１５に戻る。これによりリストア処理部７６は、この後、ステップＳＰ１１５乃至ステップＳＰ１１７の処理を適宜、繰り返し実行して、リストア支援端末１２から閲覧画像要求データが送信される毎に、対応する設定情報提示画像を合成した情報閲覧画面データを当該リストア支援端末１２に返信することで、そのリストア支援端末１２において他の１又は複数の装置設定情報３８の内容を順次確認させることができる。そしてステップＳＰ１１６においてリストア処理部７６は、リストア支援端末１２から送信された画像閲覧キャンセルデータをネットワーク通信部６５で受信して取り込み肯定結果を得ると、ステップＳＰ９７に戻る。よってリストア処理部７６は、上述したステップＳＰ９７以降の一連の処理を再び実行することで、装置設定情報３８の内容を適宜、確認させたうえで、実際にリストアすべき装置設定情報３８を選択させてＭＦＰ５にリストアさせることができる。また上述したステップＳＰ１０２においてリストア処理部７６は、リストア支援端末１２から送信された情報選択キャンセルデータをネットワーク通信部６５で受信して取り込み肯定結果を得た場合も、ステップＳＰ９７に戻る。よってリストア処理部７６は、この場合も同様にステップＳＰ９７以降の一連の処理を再び実行することで、装置設定情報３８の内容を適宜、確認させたうえで、実際にリストアすべき装置設定情報３８を選択させてＭＦＰ５にリストアさせることができる。
【００４１】
因みに、上述したステップＳＰ９２においてリストア処理部７６は、例えば、今回、リストア支援端末１２が端末登録のためにシステム制御部６６と通信接続していたことで、そのシステム制御部６６から第２設定情報送信処理の終了が指示されると、肯定結果を得てステップＳＰ１１３に移り、第２設定情報送信処理手順ＲＴ７を終了する。また上述したステップＳＰ９５においてリストア処理部７６は、記憶部６２に、支援元のリストア支援端末１２に対応するＭＦＰ５、６の装置設定情報３８をバックアップファイル５２として全くバックアップしていないために否定結果を得ると、ステップＳＰ１１８に移る。この場合、ステップＳＰ１１８においてリストア処理部７６は、記憶部６２から予め記憶されたリストア支援不可通知画面データを読み出してネットワーク通信部６５から当該リストア支援端末１２へ送信した後、ステップＳＰ１１３に移り、第２設定情報送信処理手順ＲＴ７を終了する。因みに、リストア支援不可通知画面データは、リストア支援端末１２に対し、リストア可能な装置設定情報３８が存在しないために今回はリストアを支援し得ないことを通知するためのものである。さらに上述したステップＳＰ９９においてリストア処理部７６は、リストア支援端末１２から送信されたリストアキャンセルデータをネットワーク通信部６５で受信して取り込み肯定結果を得ると、ステップＳＰ１１３に移り、第２設定情報送信処理手順ＲＴ７を終了する。このようにしてリストア処理部７６は、リストア支援端末１２による支援に応じて支援対象のＭＦＰ５、６に、当該リストア支援端末１２に対応する１又は複数台のＭＦＰ５、６からすでにバックアップファイル５２として受け取ってバックアップしていた装置設定情報３８の何れをも、当該支援対象のＭＦＰ５、６へ送信してリストアさせることができる。
【００４２】
（１−４）リストア支援端末の回路構成
次いで、リストア支援端末１２の回路構成について説明する。図２２に示すように、リストア支援端末１２は、ＣＰＵ又はマイクロプロセッサ等の制御部８５に内部バス８６を介して、上述した基本プログラムや、登録依頼プログラム及びリストア支援プログラム等の各種プログラムが予め記憶されたハードディスクドライブ又は不揮発性の半導体メモリ等である記憶部８７と、当該制御部８５のワークエリアであるＲＡＭ８８とが接続されると共に、各種操作キーと種々の画面の表示及び表面へのタッチ操作が可能な表示部とからなる操作表示部８９が接続されている。また制御部８５には、内部バス８６を介してＣＣＤ（Charge  Coupled  Device）イメージセンサ又はＣＭＯＳ（Complementary  Metal  Oxide  Semiconductor）イメージセンサ等を有する撮像部９０、公衆回線網１４の基地極であるアクセスポイント１３との間で無線通信するための無線通信部９１も接続されている。そして制御部８５は、記憶部８７から各種プログラムを適宜、ＲＡＭ８８に読み出して展開することにより、そのＲＡＭ８８上で展開した各種プログラムに従ってリストア支援端末１２全体を制御すると共に、所定の演算処理や、操作表示部８９からメンテナンス作業者によって入力される操作コマンドに応じた各種処理を実行する。なお、以下には、図２２において制御部８５が各種プログラムに従って実現する各種機能をそれぞれ便宜上、機能回路ブロックとして示して、当該制御部８５が各種プログラムに従って実行する種々の処理を、その機能回路ブロックが実行する処理として具体的に説明する。なお、リストア支援端末１２は、以下に示す機能回路ブロックと同様の処理を実行可能なハードウェア構成の回路ブロックを設け、制御部８５が実行する種々の処理を、その回路ブロックによって実行するように構成することもできる。システム制御部９２は、ＭＦＰ５、６において上述したバックアップリストア選択画面４０が表示された表示部２５にリストア支援端末１２がかざされた状態で、メンテナンス作業者により操作表示部８９を介して撮像命令が入力されると、これに応じて撮像部９０を介してバックアップリストア選択画面４０内の２次元コード４３を撮像し、得られた画像データを取り込む。そしてシステム制御部９２は、その画像データを復号することにより２次元コード４３に埋め込まれていたＭＦＰ５、６の装置シリアル番号を示す装置シリアル番号情報６７、及びバックアップ装置１１のネットワークアドレスを示すアドレス情報９３を生成する。ところで、システム制御部９２は、例えば、２次元コード４３を撮像してアドレス情報９３を得ると、このときには自動的に、そのアドレス情報９３に従い無線通信部９１からアクセスポイント１３、公衆回線網１４及び外部ネットワーク１０を順次介してバックアップ装置１１にアクセスする。そしてシステム制御部９２は、そのアクセスに応じてバックアップ装置１１から送信されるメニュー画面データを無線通信部９１で受信して取り込み、表示部に当該メニュー画面データに基づくメニュー画面（図示せず）を表示する。これによりシステム制御部９２は、メンテナンス作業者にメニュー画面上でリストア支援端末１２の端末登録や支援対象指定画面の表示等を要求させること���できる。
【００４３】
このため登録依頼部９４は、システム制御部９２がバックアップ装置１１と通信接続して表示部にメニュー画面を表示すると、図２３に示す登録依頼処理手順ＲＴ８を開始する。登録依頼部９４は、登録依頼処理手順ＲＴ８を開始すると、ステップＳＰ１２１においてメニュー画面上でリストア支援端末１２を、リストアを支援するＭＦＰ５、６と対応付けて登録するための端末登録が要求されたか否かを判別し、否定結果を得ると、次のステップＳＰ１２２に移ってシステム制御部９２から登録依頼処理の終了が指示されたか否かを判別し、この場合も否定結果を得ると、ステップＳＰ１２１に戻る。これにより登録依頼部９４は、この後、ステップＳＰ１２１又はステップＳＰ１２２において肯定結果を得るまでの間、当該ステップＳＰ１２１及びステップＳＰ１２２の処理を循環的に繰り返し実行することで、リストア支援端末１２を端末登録するように要求されることを待ち受ける。そしてステップＳＰ１２１において登録依頼部９４は、端末登録が要求されて肯定結果を得ると、ステップＳＰ１２３に移る。ステップＳＰ１２３において登録依頼部９４は、登録画面要求データを無線通信部９１からバックアップ装置１１へ送信して、次のステップＳＰ１２４に移る。よってステップＳＰ１２４において登録依頼部９４は、バックアップ装置１１から端末登録画面データが送信されることを待ち受け、その端末登録画面データを無線通信部９１で受信して取り込むと、次のステップＳＰ１２５に移る。ステップＳＰ１２５において登録依頼部９４は、記憶部８７から予め記憶されたリストア支援端末１２の端末電話番号を示す端末電話番号情報６９を読み出すと共に、このときシステム制御部９２から２次元コード４３を復号して得ていた装置シリアル番号情報６７を受け取る。そして登録依頼部９４は、端末登録画面データに端末電話番号情報６９及び装置シリアル番号情報６７を合成した後、表示部に当該端末登録画面データに基づく端末登録画面（図示せず）を表示する。これにより登録依頼部９４は、メンテナンス作業者に端末登録画面を介して、この際の端末登録に端末登録情報として用いる端末電話番号情報６９及び装置シリアル番号情報６７を確認させて、次のステップＳＰ１２６に移る。ステップＳＰ１２６において登録依頼部９４は、端末登録画面上で端末登録の実行が指示されることを待ち受け、当該端末登録の実行が指示されると、次のステップＳＰ１２７に移る。よってステップＳＰ１２７において登録依頼部９４は、端末登録画面を介してメンテナンス作業者に提示していた端末電話番号情報６９及び装置シリアル番号情報６７を端末登録情報として格納し、リストア支援端末１２を、これがリストアを支援する１台のＭＦＰ５、６と対応付けて端末登録するように依頼する端末登録依頼データを無線通信部９１からバックアップ装置１１へ送信した後、次のステップＳＰ１２８に移る。これにより登録依頼部９４は、バックアップ装置１１から端末登録依頼データ内の端末登録情報を用いた端末登録が完了して登録完了通知画面データが送信されることを待ち受け、その登録完了通知画面データを無線通信部９１で受信して取り込むと、次のステップＳＰ１２９に移る。ステップＳＰ１２９において登録依頼部９４は、表示部に登録完了通知画面データに基づく登録完了通知画面（図示せず）を表示してメンテナンス作業者に、バックアップ装置１１に対しリストア支援端末１２を、これが支援する１台のＭＦＰ５、６と対応付けて端末登録し終えたことを通知した後、次のステップＳＰ１３０に移る。そしてステップＳＰ１３０において登録依頼部９４は、このときシステム制御部９２から得ていた装置シリアル番号情報６７を記憶部８７に記憶した後、次のステップＳＰ１３１に移り、登録依頼処理手順ＲＴ８を終了する。因みに、上述したステップＳＰ１２２において登録依頼部９４は、例えば、システム制御部９２からメンテナンス作業者によりメニュー画面上で端末登録ではなく、支援対象指定画面の表示等が要求されたために登録依頼処理の終了が指示されて肯定結果を得ると、ステップＳＰ１３１に移り、登録依頼処理手順ＲＴ８を終了する。このようにして登録依頼部９４は、リストア支援端末１２とは未だリストアの支援用として対応付けていないＭＦＰ５、６が表示する２次元コード４３が撮像されると、その都度、上述した一連の登録依頼処理を実行することで、バックアップ装置１１に対して当該リストア支援端末１２を、これがリストアを支援するＭＦＰ５、６と対応付けて端末登録することができる。
【００４４】
ところで、システム制御部９２は、２次元コード４３を復号してアドレス情報９３を得ると、記憶部８７に、そのアドレス情報９３をすでに記憶しているか否かを判別し、未だ記憶していなければ、当該アドレス情報９３を記憶している。よってシステム制御部９２は、端末登録の依頼の有無に関わらず、ＭＦＰ５、６が表示する２次元コード４３の撮像に応じて上述したようにバックアップ装置１１と通信接続し得るものの、その２次元コード４３の撮像によらず、メンテナンス作業者の操作に応じて記憶部８７からアドレス情報９３を読み出すようにしてバックアップ装置１１と通信接続することもできる。そしてリストア支援部９５は、システム制御部９２がバックアップ装置１１と通信接続して表示部にメニュー画面を表示すると、図２４乃至図２７に示すリストア支援処理手順ＲＴ９を開始する。リストア支援部９５は、リストア支援処理手順ＲＴ９を開始すると、ステップＳＰ１４１においてメニュー画面上で支援対象指定画面の表示が要求されたか否かを判別し、否定結果を得ると、次のステップＳＰ１４２に移り、リストア支援処理を終了するか否かを判別し、この際にも否定結果を得ると、ステップＳＰ１４１に戻る。これによりリストア支援部９５は、この後、ステップＳＰ１４１又はステップＳＰ１４２において肯定結果を得るまでの間、当該ステップＳＰ１４１及びステップＳＰ１４２の処理を循環的に繰り返し実行することで、支援対象指定画面の表示が要求されることを待ち受ける。そしてステップＳＰ１４１においてリストア支援部９５は、支援対象指定画面の表示が要求されると、ステップＳＰ１４３に移り、対象指定画面要求データを無線通信部９１からバックアップ装置１１へ送信して、次のステップＳＰ１４４に移る。よってステップＳＰ１４４においてリストア支援部９５は、バックアップ装置１１から支援対象指定画面データが送信されることを待ち受け、当該支援対象指定画面データを無線通信部９１で受信して取り込むと、次のステップＳＰ１４５に移る。これによりステップＳＰ１４５においてリストア支援部９５は、表示部に支援対象指定画面データに基づく支援対象指定画面（図示せず）を表示して、次のステップＳＰ１４６に移る。ステップＳＰ１４６においてリストア支援部９５は、支援対象指定画面上で支援対象の１台のＭＦＰ５、６が指定されることを待ち受ける。この際、リストア支援部９５は、例えば、支援対象指定画面上に、記憶部８７に記憶している１又は複数の装置シリアル番号情報６７をプルダウンメニューとして表示することで、そのプルダウンメニューを介して支援対象の１台のＭＦＰ５、６を装置シリアル番号情報６７として容易に指定させている。そしてリストア支援部９５は、支援対象指定画面上で支援対象のＭＦＰ５、６が装置シリアル番号情報６７として指定されると、端末電話番号情報６９と共に、その指定されたＭＦＰ５、６の装置シリアル番号情報６７を格納した支援対象通知データを無線通信部９１からバックアップ装置１１へ送信して、次のステップＳＰ１４８に移る。そしてステップＳＰ１４８においてリストア支援部９５は、バックアップ装置１１から送信されるリストア支援画面データを受信したか否かを判別し、当該リストア支援画面データを無線通信部９１で受信して取り込み肯定結果を得ると、次のステップＳＰ１４９に移る。これによりステップＳＰ１４９においてリストア支援部９５は、表示部にリストア支援画面データに基づく図２８に示すようなリストア支援画面１００を表示して、次のステップＳＰ１５０に移る。リストア支援画面１００は、例えば、支援対象のＭＦＰ５、６にリストア可能な装置設定情報３８が存在することを通知するための通知部１０１が設けられている。またリストア支援画面１００には、リストア支援端末１２からバックアップ装置１１に要求可能な処理としてのリストアを選択するためのリストア選択部１０２と、設定情報提示画像の閲覧を選択するための閲覧選択部１０３とが設けられている。さらにリストア支援画面１００には、支援対象のＭＦＰ５、６への装置設定情報３８のリストアをキャンセルするためのキャンセルボタン１０４も配置されている。
【００４５】
ステップＳＰ１５０においてリストア支援部９５は、リストア支援画面１００上でリストアが要求されたか否かを判別し、否定結果を得ると、次のステップＳＰ１５１に移り、設定情報提示画像の閲覧が要求されたか否かを判別する。そしてリストア支援部９５は、否定結果を得ると、次のステップＳＰ１５２に移り、リストアがキャンセルされたか否かを判別して、この場合も否定結果を得ると、ステップＳＰ１５０に戻る。これによりリストア支援部９５は、この後、ステップＳＰ１５０乃至ステップＳＰ１５２の何れかで肯定結果を得るまでの間、当該ステップＳＰ１５０乃至ステップＳＰ１５２の処理を循環的に繰り返し実行することで、要求可能な処理としてのリストアや設定情報提示画像の閲覧が要求されることを待ち受ける。そしてステップＳＰ１５０においてリストア支援部９５は、リストア支援画面１００上でリストア選択部１０２が選択指示されて肯定結果を得ると、次のステップＳＰ１５３に移る。よってステップＳＰ１５３においてリストア支援部９５は、端末電話番号情報６９を格納して、リストアを要求するリストア要求データを無線通信部９１からバックアップ装置１１へ送信して、次のステップＳＰ１５４に移る。ステップＳＰ１５４においてリストア支援部９５は、バックアップ装置１１からバックアップファイル名提示画面データが送信されることを待ち受け、当該バックアップファイル名提示画面データを無線通信部９１で受信して取り込むと、次のステップＳＰ１５５に移る。これによりステップＳＰ１５５においてリストア支援部９５は、表示部にバックアップファイル名提示画面データに基づく図２９に示すようなバックアップファイル名提示画面１１０を表示して、次のステップＳＰ１５６に移る。バックアップファイル名提示画面１１０は、ファイル名表示部１１１が設けられ、当該ファイル名表示部１１１に、リストア支援端末１２に対応する全てのＭＦＰ５、６のバックアップファイル５２のファイル名がリスト化され、タッチ操作等で選択可能に表示されている。またバックアップファイル名提示画面１１０には、ファイル名表示部１１１でリストア対象の装置設定情報３８がファイル名として選択された際、その選択されたファイル名をバックアップ装置１１に通知すべきリストア用選択ファイル名として確定するための確定ボタン１１２が設けられると共に、リストア対象の装置設定情報３８の選択処理をキャンセルする情報選択キャンセルボタン１１３も設けられている。よってステップＳＰ１５６においてリストア支援部９５は、バックアップファイル名提示画面１１０上でリストア対象の装置設定情報３８がバックアップファイル５２、７９のリストア用選択ファイル名として選択されたか否かを判別し、否定結果を得ると、次のステップＳＰ１５７に移り、装置設定情報３８の選択処理がキャンセルされたか否かを判別し、この場合も否定結果を得ると、ステップＳＰ１５６に戻る。これによりリストア支援部９５は、この後、ステップＳＰ１５６又はステップＳＰ１５７において肯定結果を得るまでの間、当該ステップＳＰ１５６及びステップＳＰ１５７の処理を循環的に繰り返し実行することで、バックアップファイル名提示画面１１０上でリストア対象の装置設定情報３８がリストア用選択ファイル名として選択されることを待ち受ける。そしてステップＳＰ１５６においてリストア支援部９５は、バックアップファイル名提示画面１１０上でリストア対象の装置設定情報３８がファイル名として選択された後、確定ボタン１１２が選択指示されたことで、当該ファイル名の選択がリストア用選択ファイル名の選択として確定されて肯定結果を得ると、ステップＳＰ１５８に移る。
【００４６】
ステップＳＰ１５８においてリストア支援部９５は、端末電話番号情報６９と共に、その選択されたリストア用選択ファイル名を示すリストア用選択ファイル名情報を格納したリストア対象通知データを無線通信部９１からバックアップ装置１１へ送信して、次のステップＳＰ１５９に移る。よってステップＳＰ１５９においてリストア支援部９５は、バックアップ装置１１から修正箇所提示画面データが送信されることを待ち受け、当該修正箇所提示画面データを無線通信部９１で受信して取り込むと、次のステップＳＰ１６０に移る。そしてステップＳＰ１６０においてリストア支援部９５は、表示部に修正箇所提示画面データに基づく例えば、図３０に示すような修正箇所提示画面１１５を表示して、次のステップＳＰ１６１に移る。修正箇所提示画面１１５は、修正箇所通知部１１６が設けられている。そして修正箇所通知部１１６には、リストア対象の装置設定情報３８をリストアする際に特に修正箇所が無ければ、その旨を通知する所定のコメントが表示され、リストア対象の装置設定情報３８をリストアする際に修正箇所があると、その修正箇所を追加項目や変更項目、及びこれらの初期設定内容によって通知するための修正箇所通知情報が表示されている。因みに、図３０に示す修正箇所提示画面１１５は、リストア対象の装置設定情報３８の修正箇所を通知する修正箇所通知情報が表示されたものである。また修正箇所提示画面１１５には、リストア対象の装置設定情報３８のリストアの実行を指示するためのリストア実行指示ボタン１１７が配置されると共に、そのリストア対象の装置設定情報３８を選択し直すための選択取消ボタン１１８も配置されている。よってステップＳＰ１６１においてリストア支援部９５は、修正箇所提示画面１１５上でリストア対象の装置設定情報３８のリストアの実行が指示されたか否かを判別する。その結果、リストア支援部９５は、修正箇所提示画面１１５上でリストア実行指示ボタン１１６が選択指示されて肯定結果を得ると、次のステップＳＰ１６２に移る。そしてステップＳＰ１６２においてリストア支援部９５は、端末電話番号情報６９を格納して、リストア対象の装置設定情報３８のリストアの実行を指示するリストア実行指示データを無線通信部９１からバックアップ装置１１へ送信して、次のステップＳＰ１６３に移る。ステップＳＰ１６３においてリストア支援部９５は、バックアップ装置１１から送信される通信接続指示画面データを受信したか否かを判別し、否定結果を得ると、ステップＳＰ１６４に移る。これに対しステップＳＰ１６３においてリストア支援部９５は、バックアップ装置１１から送信された通信接続指示画面データを無線通信部９１で受信して取り込むと、次のステップＳＰ１６５に移り、表示部に通信接続指示画面データに基づく通信接続指示画面（図示せず）を表示して、メンテナンス作業者に支援対象のＭＦＰ５をバックアップ装置１１と通信接続させるように促した後、ステップＳＰ１６４に移る。そしてステップＳＰ１６４においてリストア支援部９５は、バックアップ装置１１からリストア完了通知画面データが送信されることを待ち受け、当該リストア完了通知画面データを無線通信部９１で受信して取り込むと、次のステップＳＰ１６６に移り、表示部にリストア完了通知画面データに基づく図３１に示すようなリストア完了通知画面１２０を表示する。なお、リストア完了通知画面１２０は、支援対象のＭＦＰ５に対する装置設定情報３８のリストアが完了したことを通知するための所定のコメント１２１が表示されると共に、そのリストア完了通知画面１２０の表示を終了するための表示終了ボタン１２２が配置されている。このためリストア支援部９５は、そのリストア完了通知画面１２０を介してメンテナンス作業者に支援対象のＭＦＰ５に対する装置設定情報３８のリストアが完了したことを通知した後、当該リストア完了通知画面１２０上で表示終了ボタン１２２が選択指示されると、表示部に対するリストア完了通知画面１２０の表示を終了して、次のステップＳＰ１６７に移り、リストア支援処理手順ＲＴ９を終了する。因みに、上述したステップＳＰ１６１においてリストア支援部９５は、修正箇所提示画面１１５上で選択取消ボタン１１８が選択指示されて否定結果を得ると、端末電話番号情報６９を格納して、リストア対象の装置設定情報３８を選択し直すことを通知するための選択取消通知データを無線通信部９１からバックアップ装置１１へ送信した後、ステップＳＰ１５５に戻る。これによりリストア支援部９５は、表示部に修正箇所提示画面１１５に換えてバックアップファイル名提示画面１１０を再び表示して、リストア対象の装置設定情報３８を改めて選択させることができる。
【００４７】
ところで、上述したステップＳＰ１５１においてリストア支援部９５は、リストア支援画面１００上で閲覧選択部１０３が選択指示されて肯定結果を得ると、次のステップＳＰ１６６に移る。ステップＳＰ１６６においてリストア支援部９５は、端末電話番号情報６９を格納して、設定情報提示画像の閲覧を要求するための画像ファイル名提示画面要求データを無線通信部９１からバックアップ装置１１へ送信して、次のステップＳＰ１６７に移る。よってステップＳＰ１６７においてリストア支援部９５は、バックアップ装置１１から画像ファイル名提示画面データが送信されることを待ち受け、当該画像ファイル名提示画面データを無線通信部９１で受信して取り込むと、次のステップＳＰ１６８に移る。これによりステップＳＰ１６８においてリストア支援部９５は、表示部に画像ファイル名提示画面データに基づく図３２に示すような画像ファイル名提示画面１２５を表示して、次のステップＳＰ１６９に移る。画像ファイル名提示画面１２５は、ファイル名表示部１２６が設けられ、当該ファイル名表示部１２６に、リストア支援端末１２に対応する全てのＭＦＰ５、６の設定情報提示画像ファイル７７のファイル名がリスト化され、タッチ操作等で選択可能に表示されている。また画像ファイル名提示画面１２５には、設定情報提示画像の閲覧をキャンセルするための画像閲覧キャンセルボタン１２７も配置されている。よってステップＳＰ１６９においてリストア支援部９５は、画像ファイル名提示画面１２５上で閲覧対象の設定情報提示画像が、対応する閲覧用選択ファイル名として選択されたか否かを判別し、否定結果を得ると、次のステップＳＰ１７０に移り、その画像ファイル名提示画面１２５上で設定情報提示画像の閲覧がキャンセルされたか否かを判別し、この場合も否定結果を得ると、ステップＳＰ１６９に戻る。これによりリストア支援部９５は、この後、ステップＳＰ１６９又はステップＳＰ１７０において肯定結果を得るまでの間、当該ステップＳＰ１６９及びステップＳＰ１７０の処理を循環的に繰り返し実行することで、閲覧対象の設定情報提示画像が選択されることを待ち受ける。そしてステップＳＰ１６９においてリストア支援部９５は、画像ファイル名提示画面１２５上で閲覧対象の設定情報提示画像が閲覧用選択ファイル名として選択されて肯定結果を得ると、ステップＳＰ１７１に移る。ステップＳＰ１７１においてリストア支援部９５は、端末電話番号情報６９を格納すると共に、その閲覧用選択ファイル名を示す閲覧用選択ファイル名情報も格納して、設定情報提示画像の閲覧を要求する閲覧画像要求データを無線通信部９１からバックアップ装置１１へ送信して、次のステップＳＰ１７２に移る。よってステップＳＰ１７２においてリストア支援部９５は、バックアップ装置１１から情報閲覧画面データが送信されることを待ち受け、当該情報閲覧画面データを無線通信部９１で受信して取り込むと、次のステップＳＰ１７３に移る。これによりステップＳＰ１７３においてリストア支援部９５は、表示部に情報閲覧画面データに基づく図３３に示すような情報閲覧画面１３０を表示して、次のステップＳＰ１７４に移る。情報閲覧画面１３０は、画像表示部１３１に、閲覧用選択ファイル名の設定情報提示画像が表示されている。また情報閲覧画面１３０は、設定情報提示画像の閲覧の終了を指示するための画像閲覧終了指示ボタン１３２が配置されている。よってリストア支援部９５は、その情報閲覧画面１３０を介してメンテナンス作業者（またユーザ）に閲覧を希望した設定情報提示画像を閲覧させて、装置設定情報３８の内容を確認させ、この後、情報閲覧画面１３０上で画像閲覧終了指示ボタン１３２が選択指示されると、ステップＳＰ１６８に戻って表示部に当該情報閲覧画面１３０に換えて画像ファイル名提示画面１２５を再び表示する。これによりリストア支援部９５は、この後、ステップＳＰ１６８乃至ステップＳＰ１７４の処理を適宜、繰り返し実行して、閲覧用選択ファイル名が選択される毎に、バックアップ装置１１から、対応する設定情報提示画像が合成された情報閲覧画面データを取得して表示部に情報閲覧画面１３０を表示することで、その情報閲覧画面１３０を介して他の１又は複数の装置設定情報３８の内容を順次確認させることができる。そして上述したステップＳＰ１７０においてリストア支援部９５は、画像ファイル名提示画面１２５上で画像閲覧キャンセルボタン１２７が選択指示されて否定結果を得ると、次のステップＳＰ１７５に移り、端末電話番号情報６９を格納して、設定情報提示画像の閲覧のキャンセルを通知するための画像閲覧キャンセルデータを無線通信部９１からバックアップ装置１１へ送信した後、ステップＳＰ１４９に戻り、表示部に当該画像ファイル名提示画面１２５に換えてリストア支援画面１００を再び表示する。よってリストア支援部９５は、上述したステップＳＰ１４９以降の一連の処理を再び実行して、装置設定情報３８の内容を適宜、確認させたうえで、支援対象のＭＦＰ５にリストアすべき装置設定情報３８を選択させてバックアップ装置１１に、その装置設定情報３８のリストアを依頼することができる。また上述したステップＳＰ１５７においてリストア支援部９５は、バックアップファイル名提示画面１１０上で情報選択キャンセルボタン１１３が選択指示されて肯定結果を得ると、ステップＳＰ１７６に移る。そしてステップＳＰ１７６においてリストア支援部９５は、端末電話番号情報６９を格納して、装置設定情報３８の選択処理のキャンセルを通知する情報選択キャンセルデータを無線通信部９１からバックアップ装置１１へ送信した後、ステップＳＰ１４９に戻り、表示部にバックアップファイル名提示画面１１０に換えてリストア支援画面１００を再び表示する。よってリストア支援部９５は、この場合も上述したステップＳＰ１４９以降の一連の処理を再び実行して、装置設定情報３８の内容を適宜、確認させたうえで、支援対象のＭＦＰ５にリストアすべき装置設定情報３８を選択させてバックアップ装置１１に、その装置設定情報３８のリストアを依頼することができる。
【００４８】
因みに、上述したステップＳＰ１４２においてリストア支援部９５は、例えば、今回、システム制御部９２からバックアップ装置１１と端末登録のために通信接続したことでリストア支援処理の終了が指示されると、肯定結果を得てステップＳＰ１６７に移り、リストア支援処理手順ＲＴ９を終了する。また上述したステップＳＰ１４８においてリストア支援部９５は、バックアップ装置１１から送信されたリストア支援不可通知画面データを無線通信部９１で受信して取り込むことで否定結果を得ると、次のステップＳＰ１７７に移り、表示部にリストア支援不可通知画面データに基づくリストア支援不可通知画面を表示する。これによりリストア支援部９５は、そのリストア支援不可通知画面を介してメンテナンス作業者に、支援対象のＭＦＰ５に対してリストア可能な装置設定情報３８が存在しないことを通知した後、ステップＳＰ１６７に移り、リストア支援処理手順ＲＴ９を終了する。さらに上述したステップＳＰ１５２においてリストア支援部９５は、リストア支援画面１００上でキャンセルボタン１０４が選択指示されて肯定結果を得ると、ステップＳＰ１７８に移り、端末電話番号情報６９を格納して、支援対象のＭＦＰ５への装置設定情報３８のリストアのキャンセルを通知するリストアキャンセルデータを無線通信部９１からバックアップ装置１１へ送信した後、ステップＳＰ１６７に移り、リストア支援処理手順ＲＴ９を終了する。このようにしてリストア支援部９５は、支援対象のＭＦＰ５、６への装置設定情報３８のリストアを支援するようにして、バックアップ装置１１から当該ＭＦＰ５、６へバックアップファイル５２、７９を送信させて装置設定情報３８をリストアさせることができる。
【００４９】
（１−５）バックアップシステムで実行される各種処理手順
ここで、ＭＦＰ５、６、バックアップ装置１１及びリストア支援端末１２各々が実行する各種処理手順については上述したが、これらの処理手順を相互のデータの送受信を中心にしてまとめたバックアップ処理手順、第１リストア処理手順、端末登録処理手順及び第２リストア処理手順について以下に順番に説明する。なお、以下の説明では、バックアップ処理手順、第１リストア処理手順、端末登録処理手順及び第２リストア処理手順におけるＭＦＰ５、６、バックアップ装置１１及びリストア支援端末１２毎の個々の処理手順をキャンセルの指示等により途中で中断しない場合を例にしている。また、以下の説明では、バックアップ処理手順、第１リストア処理手順及び第２リストア処理手順において、複数台のＭＦＰ５、６をうち１台のＭＦＰ５が装置設定情報３８をバックアップし、またリストアする場合を例にしている。
【００５０】
（１−５−１）ＭＦＰ及びバックアップ装置によるバックアップ処理手順
図３４に示すように、ＭＦＰ５及びバックアップ装置１１によるバックアップ処理手順では、まず、当該ＭＦＰ５の制御部２０が、記憶部２２に予め記憶された設定情報バックアップ実行プログラムに従って設定情報バックアップ実行処理手順ＲＴ１を開始し、上述したステップＳＰ１乃至ステップＳＰ３の処理を順次実行することで、バックアップ画面要求データをネットワーク通信部３０からバックアップ装置１１へ送信する。この際、バックアップ装置１１の制御部６０は、記憶部６２に予め記憶された設定情報記憶プログラムに従って設定情報記憶処理手順ＲＴ５を開始して、上述したステップＳＰ６１乃至ステップＳＰ６３の処理を順次実行することで、ＭＦＰ５から送信されたバックアップ画面要求データをネットワーク通信部６５で受信して取り込み、これに応じてバックアップ実行指示画面データを当該ネットワーク通信部６５からＭＦＰ５へ送信する。よってＭＦＰ５の制御部２０は、上述したステップＳＰ４及びステップＳＰ５の処理を順次実行することで、バックアップ装置１１から送信されたバックアップ実行指示画面データをネットワーク通信部３０で受信して取り込み、表示部にバックアップ実行指示画面４７を表示する。そしてＭＦＰ５の制御部２０は、引き続き上述したステップＳＰ６乃至ステップＳＰ１２の処理を順次実行することで、装置設定情報３８のバックアップファイル５２を生成すると共に、設定情報提示画像ファイル７７を生成して、これらをネットワーク通信部３０からバックアップ装置１１へ送信した後、ステップＳＰ１３に移って設定情報バックアップ実行処理手順ＲＴ１を終了する。またバックアップ装置１１の制御部６０は、上述したステップＳＰ６４乃至ステップＳＰ６７の処理を順次実行することで、ＭＦＰ５から送信されたバックアップファイル５２及び設定情報提示画像ファイル７７をネットワーク通信部６５で受信して取り込み、これらを記憶部６２に記憶した後、ステップＳＰ６８に移って設定情報記憶処理手順ＲＴ５を終了する。このようにしてＭＦＰ５及びバックアップ装置１１は、設定情報バックアップ実行処理手順ＲＴ１及び設定情報記憶処理手順ＲＴ５からなるバックアップ処理手順を互いに通信しながら実行して、当該バックアップ装置１１にＭＦＰ５の装置設定情報３８をバックアップファイル５２としてバックアップすることができる。
【００５１】
（１−５−２）ＭＦＰ及びバックアップ装置による第１リストア処理手順
図３５に示すように、ＭＦＰ５及びバックアップ装置１１による第１リストア処理手順では、まず、当該ＭＦＰ５の制御部２０が、記憶部２２に予め記憶された第１設定情報リストア実行プログラムに従って第１設定情報リストア実行処理手順ＲＴ２を開始し、上述したステップＳＰ２１乃至ステップＳＰ２３の処理を順次実行することで、リストア画面要求データをネットワーク通信部３０からバックアップ装置１１へ送信する。この際、バックアップ装置１１の制御部６０は、記憶部６２に予め記憶された第１設定情報送信プログラムに従って第１設定情報送信処理手順ＲＴ６を開始して、上述したステップＳＰ７１乃至ステップＳＰ７４の処理を順次実行することで、ＭＦＰ５から送信されたリストア画面要求データをネットワーク通信部６５で受信して取り込み、これに応じてリストア実行指示画面データを当該ネットワーク通信部６５からＭＦＰ５へ送信する。よってＭＦＰ５の制御部２０は、上述したステップＳＰ２４及びステップＳＰ２５の処理を順次実行することで、バックアップ装置１１から送信されたリストア実行指示画面データをネットワーク通信部３０で受信して取り込み、表示部にリストア実行指示画面５５を表示する。そしてＭＦＰ５の制御部２０は、引き続き上述したステップＳＰ２６乃至ステップＳＰ２９の処理を順次実行することで、リストア対象の装置設定情報３８を示すファイル要求データをネットワーク通信部３０からバックアップ装置１１へ送信する。このためバックアップ装置１１の制御部６０は、上述したステップＳＰ７５乃至ステップＳＰ７９の処理を順次実行することで、ＭＦＰ５から送信されたファイル要求データをネットワーク通信部６５で受信して取り込み、これに応じて記憶部６２からリストア対象の装置設定情報３８をバックアップファイル５２として読み出し適宜修正してネットワーク通信部６５からＭＦＰ５へ送信した後、ステップＳＰ８０に移って第１設定情報送信処理手順ＲＴ６を終了する。またＭＦＰ５の制御部２０は、上述したステップＳＰ３０及びステップＳＰ３１の処理を順次実行することで、バックアップ装置１１から送信されたバックアップファイル５２をネットワーク通信部３０で受信して取り込み、記憶部２２に当該バックアップファイル５２として得たリストア対象の装置設定情報３８を記憶した後、ステップＳＰ３１に移って第１設定情報リストア実行処理手順ＲＴ２を終了する。このようにしてＭＦＰ５及びバックアップ装置１１は、第１設定情報リストア実行処理手順ＲＴ２及び第１設定情報送信処理手順ＲＴ６からなる第１リストア処理手順を互いに通信しながら実行して、当該バックアップ装置１１にバックアップファイル５２としてバックアップしていた装置設定情報３８をＭＦＰ５にリストアすることができる。
【００５２】
（１−５−３）リストア支援端末及びバックアップ装置による端末登録処理手順
図３６に示すように、リストア支援端末１２及びバックアップ装置１１による端末登録処理手順では、まず、当該リストア支援端末１２の制御部８５が、ＭＦＰ５、６の表示部２５にバックアップリストア選択画面４０として表示された２次元コード４３を撮像部９０で撮像して復号し、バックアップ装置１１のネットワークアドレスと共に当該ＭＦＰ５、６の装置シリアル番号を取得したことを起点として、記憶部８７に予め記憶された登録依頼プログラムに従って登録依頼処理手順ＲＴ８を開始する。そしてリストア支援端末１２の制御部８５は、上述したステップＳＰ１２１乃至ステップＳＰ１２３の処理を順次実行することで、登録画面要求データを無線通信部９１からバックアップ装置１１へ送信する。この際、バックアップ装置１１の制御部６０は、記憶部６２に予め記憶された登録実行プログラムに従って登録実行処理手順ＲＴ４を開始して、上述したステップＳＰ５１及びステップＳＰ５２の処理を順次実行することで、リストア支援端末１２から送信された登録画面要求データをネットワーク通信部６５で受信して取り込み、これに応じて端末登録画面データを当該ネットワーク通信部６５からリストア支援端末１２へ送信する。よってリストア支援端末１２の制御部８５は、上述したステップＳＰ１２４及びステップＳＰ１２５の処理を順次実行することで、バックアップ装置１１から送信された端末登録画面データを無線通信部９１で受信して取り込み、表示部に端末登録画面を表示する。そしてリストア支援端末１２の制御部８５は、引き続き上述したステップＳＰ１２６及びステップＳＰ１２７の処理を順次実行することで、端末登録依頼データを無線通信部９１からバックアップ装置１１へ送信する。バックアップ装置１１の制御部６０は、この際、上述したステップＳＰ５３及びステップＳＰ５４の処理を順次実行することで、リストア支援端末１２から送信された端末登録依頼データをネットワーク通信部６５で受信して取り込み、記憶部６２に、当該端末登録依頼データに格納されている端末登録情報としての端末電話番号情報６９を、端末登録情報としての装置シリアル番号情報６７に対応付けて記憶して、そのリストア支援端末１２を登録する。またバックアップ装置１１の制御部６０は、引き続き上述したステップＳＰ５５の処理を実行することで、登録完了通知画面データをネットワーク通信部６５からリストア支援端末１２へ送信した後、ステップＳＰ５６に移って登録実行処理手順ＲＴ４を終了する。またリストア支援端末１２の制御部８５は、上述したステップＳＰ１２８乃至ステップＳＰ１３０の処理を順次実行することで、バックアップ装置１１から送信された登録完了通知画面データを無線通信部９１で受信して取り込み、表示部に登録完了通知画面を表示し、また記憶部８７に、この際の端末登録情報としての装置シリアル番号情報６７を記憶した後、ステップＳＰ１３１に移って登録依頼処理手順ＲＴ８を終了する。このようにしてリストア支援端末１２及びバックアップ装置１１は、登録依頼処理手順ＲＴ８及び登録実行処理手順ＲＴ４からなる端末登録処理手順を互いに通信しながら実行して、当該バックアップ装置１１にリストア支援端末１２を、これがリストアを支援するＭＦＰ５、６と対応付けて登録することができる。そしてバックアップシステム１では、バックアップ装置１１にリストア支援端末１２をＭＦＰ５、６と対応付けて登録すると、この後、そのリストア支援端末１２により、対応するＭＦＰ５、６に対して装置設定情報３８のリストアを支援可能にしている。
【００５３】
（１−５−４）リストア支援端末、バックアップ装置及びＭＦＰによる第２リストア処理手順
図３７乃至図３９に示すように、リストア支援端末１２、バックアップ装置１１及びＭＦＰ５による第２リストア処理手順では、リストア支援端末１２の制御部８５が、記憶部８７に予め記憶されたリストア支援プログラムに従ってリストア支援処理手順ＲＴ９を開始し、上述したステップＳＰ１４１乃至ステップＳＰ１４３の処理を順次実行することで、対象指定画面要求データを無線通信部９１からバックアップ装置１１へ送信する。この際、バックアップ装置１１の制御部６０は、記憶部６２に予め記憶された第２設定情報送信プログラムに従って第２設定情報送信処理手順ＲＴ７を開始して、上述したステップＳＰ９１乃至ステップＳＰ９３の処理を順次実行することで、リストア支援端末１２から送信された対象指定画面要求データをネットワーク通信部６５で受信して取り込み、これに応じて支援対象指定画面データを当該ネットワーク通信部６５からリストア支援端末１２へ送信する。よってリストア支援端末１２の制御部８５は、上述したステップＳＰ１４４及びステップＳＰ１４５の処理を順次実行することで、バックアップ装置１１から送信された支援対象指定画面データを無線通信部９１で受信して取り込み、表示部に支援対象指定画面を表示し、引き続き上述したステップＳＰ１４６及びステップＳＰ１４７の処理を順次実行することで、支援対象通知データを無線通信部９１からバックアップ装置１１へ送信する。バックアップ装置１１の制御部６０は、上述したステップＳＰ９４乃至ステップＳＰ９６の処理を順次実行することで、リストア支援端末１２から送信された支援対象通知データをネットワーク通信部６５で受信して取り込んだ後、支援対象のＭＦＰ５にリストア可能な装置設定情報３８が存在することを確認したうえで、リストア支援画面データをネットワーク通信部６５からリストア支援端末１２へ送信する。リストア支援端末１２の制御部８５は、上述したステップＳＰ１４８及びステップＳＰ１４９の処理を順次実行することで、バックアップ装置１１から送信されたリストア支援画面データを無線通信部９１で受信して取り込んで表示部にリストア支援画面を表示し、引き続き上述したステップＳＰ１５０乃至ステップＳＰ１５２の処理を順次実行することで、リストアが要求されたか否かを判別して肯定結果を得ると、次いで上述したステップＳＰ１５３の処理を実行してリストア要求データを無線通信部９１からバックアップ装置１１へ送信する。この際、バックアップ装置１１の制御部６０は、上述したステップＳＰ９７乃至ステップＳＰ９９の処理を順次実行することで、リストア支援端末１２からリストア要求データが送信されたか否かを判別し、当該リストア要求データをネットワーク通信部６５で受信して取り込むと、引き続き上述したステップＳＰ１００の処理を実行することで、バックアップファイル名提示画面データをネットワーク通信部６５からリストア支援端末１２へ送信する。よってリストア支援端末１２の制御部８５は、上述したステップＳＰ１５４及びステップＳＰ１５５の処理を順次実行することで、バックアップ装置１１から送信されたバックアップファイル名提示画面データを無線通信部９１で受信して取り込んで表示部にバックアップファイル名提示画面１１０を表示する。次いで、リストア支援端末１２の制御部８５は、上述したステップＳＰ１５６及びステップＳＰ１５７の処理を順次実行することで、リストア対象の装置設定情報３８が選択されたか否かを判別して肯定結果を得ると、引き続き上述したステップＳＰ１５８の処理を実行することで、リストア対象通知データを無線通信部９１からバックアップ装置１１へ送信する。この際、バックアップ装置１１の制御部６０は、上述したステップＳＰ１０１及びステップＳＰ１０２の処理を順次実行することで、リストア支援端末１２からリストア対象通知データが送信されたか否かを判別し、当該リストア対象通知データをネットワーク通信部６５で受信して取り込むと、引き続き上述したステップＳＰ１０３乃至ステップＳＰ１０５の処理を順次実行することで、修正箇所提示画面データをネットワーク通信部６５からリストア支援端末１２へ送信する。よってリストア支援端末１２の制御部８５は、上述したステップＳＰ１５９及びステップＳＰ１６０の処理を順次実行することで、バックアップ装置１１から送信された修正箇所提示画面データを無線通信部９１で受信して取り込んで表示部に修正箇所提示画面１１５を表示する。そしてリストア支援端末１２の制御部８５は、上述したステップＳＰ１６１の処理を実行することで、バックアップ装置１１に対するリストアの実行を指示するか否かを判別して肯定結果を得ると、引き続き上述したステップＳＰ１６２の処理を実行することで、リストア実行指示データを無線通信部９１からバックアップ装置１１へ送信する。よってバックアップ装置１１の制御部６０は、上述したステップＳＰ１０６の処理を実行することで、リストア支援端末１２からリストア実行指示データが送信されたか否かを判別して、当該リストア実行指示データをネットワーク通信部６５で受信して取り込み、引き続き上述したステップＳＰ１０７乃至ステップＳＰ１１０の処理を順次実行することで、リストア対象の装置設定情報３８をバックアップファイル５２、７９としてネットワーク通信部６５から支援対象のＭＦＰ５へ送信する。この際、支援対象のＭＦＰ５の制御部２０は、記憶部２２に予め記憶された第２設定情報リストア実行プログラムに従って第２設定情報リストア実行処理手順ＲＴ３を開始しており、上述したステップＳＰ４１乃至ステップＳＰ４３の処理を順次実行することで、バックアップ装置１１から送信されたバックアップファイル５２、７９をネットワーク通信部３０で受信して取り込み、記憶部２２に当該バックアップファイル５２、７９として得たリストア対象の装置設定情報３８を記憶する。そして支援対象のＭＦＰ５の制御部２０は、装置設定情報３８のリストアが完了すると、上述したステップＳＰ４４の処理を実行することで、リストア完了通知データをネットワーク通信部３０からバックアップ装置１１へ送信した後、ステップＳＰ４５に移って第２設定情報リストア実行処理手順ＲＴ３を終了する。またバックアップ装置１１の制御部６０は、上述したステップＳＰ１１１及びステップＳＰ１１２の処理を順次実行することで、支援対象のＭＦＰ５から送信されたリストア完了通知データをネットワーク通信部６５で受信して取り込み、これに応じてリストア完了通知画面データを当該ネットワーク通信部６５からリストア支援端末１２へ送信した後、ステップＳＰ１１３に移って第２設定情報送信処理手順ＲＴ７を終了する。さらにリストア支援端末１２の制御部８５は、この際、上述したステップＳＰ１６３乃至ステップＳＰ１６６の処理を順次実行することで、バックアップ装置１１から送信されたリストア完了通知画面データを無線通信部９１で受信して取り込んで表示部にリストア完了通知画面１２０を表示した後、ステップＳＰ１６７に移ってリストア支援処理手順ＲＴ９を終了する。
【００５４】
ところで、リストア支援端末１２の制御部８５は、上述したステップＳＰ１６１の処理を実行した際、リストア対象の装置設定情報３８の選択が取り消されて否定結果を得ると、選択取消通知データを無線通信部９１からバックアップ装置１１へ送信した後、表示部に修正箇所提示画面１１５に換えてバックアップファイル名提示画面１１０を再び表示する。よってバックアップ装置１１の制御部６０は、この際、上述したステップＳＰ１０６の処理を実行するものの、リストア支援端末１２から送信された選択取消通知データをネットワーク通信部６５で受信して取り込み否定結果を得ることで、再び、上述したステップＳＰ１０１及びステップＳＰ１０２の処理を順次実行する。またリストア支援端末１２の制御部８５は、上述したステップＳＰ１５０乃至ステップＳＰ１５２の処理を順次実行した際、設定情報提示画像の閲覧が要求されて否定結果を得ると、引き続き上述した１６６の処理を実行することで、画像ファイル名提示画面要求データを無線通信部９１からバックアップ装置１１へ送信する。またバックアップ装置１１の制御部６０は、上述したステップＳＰ９７乃至ステップＳＰ９９の処理を順次実行した際、リストア支援端末１２から送信された画像ファイル名提示画面要求データをネットワーク通信部６５で受信して取り込むと、引き続き上述したステップＳＰ１１４の処理を実行することで、画像ファイル名提示画面データをネットワーク通信部６５からリストア支援端末１２へ送信する。よってリストア支援端末１２の制御部８５は、この際、上述したステップＳＰ１６７及びステップＳＰ１６８の処理を順次実行することで、バックアップ装置１１から送信された画像ファイル名提示画面データを無線通信部９１で受信して取り込んで表示部に画像ファイル名提示画面１２５を表示する。そしてリストア支援端末１２の制御部８５は、上述したステップＳＰ１６９及びステップＳＰ１７０の処理を順次実行することで、設定情報画像の閲覧が要求されたか否かを判別して肯定結果を得ると、引き続き上述したステップＳＰ１７１の処理を実行することで、閲覧画像要求データを無線通信部９１からバックアップ装置１１へ送信する。この際、バックアップ装置１１の制御部６０は、上述したステップＳＰ１１５及びステップＳＰ１１６の処理を実行することで、リストア支援端末１２から閲覧画像要求データが送信されたか否かを判別し、当該閲覧画像要求データをネットワーク通信部６５で受信して取り込むと、引き続き上述したステップＳＰ１１７の処理を実行することで、情報閲覧画面データをネットワーク通信部６５からリストア支援端末１２へ送信した後、再び、上述したステップＳＰ１１５及びステップＳＰ１１６の処理を実行する。またリストア支援端末１２の制御部８５は、上述したステップＳＰ１７２及びステップＳＰ１７４の処理を順次実行することで、バックアップ装置１１から送信された情報閲覧画面データを無線通信部９１で受信して取り込み表示部に情報閲覧画面１３０を表示した後、当該表示部に画像ファイル名提示画面１２５を表示する。ところで、リストア支援端末１２の制御部８５は、上述したステップＳＰ１６９及びステップＳＰ１７０の処理を順次実行した際、設定情報提示画像の閲覧がキャンセルされて否定結果を得ると、上述したステップＳＰ１７５の処理を実行することで、画像閲覧キャンセルデータを無線通信部９１からバックアップ装置１１へ送信した後、表示部に画像ファイル名提示画面１２５に換えてリストア支援画面１００を再び表示する。このためバックアップ装置１１の制御部６０は、この際、上述したステップＳＰ１１５及びステップＳＰ１１６の処理を実行し、リストア支援端末１２から送信された画像閲覧キャンセルデータをネットワーク通信部６５で受信して否定結果を得ることで、再び、上述したステップＳＰ９７乃至ステップＳＰ９９の処理を順次実行する。またリストア支援端末１２の制御部８５は、上述したステップＳＰ１５６及びステップＳＰ１５７の処理を実行した際、装置設定情報３８の選択処理がキャンセルされて否定結果を得ると、上述したステップＳＰ１７６の処理を実行することで、情報選択キャンセルデータを無線通信部９１からバックアップ装置１１へ送信した後、表示部にバックアップファイル名提示画面１１０に換えてリストア支援画面１００を再び表示する。よってバックアップ装置１１の制御部６０は、この際、上述したステップＳＰ１０１及びステップＳＰ１０２の処理を順次実行するものの、リストア支援端末１２から送信された情報選択キャンセルデータをネットワーク通信部６５で受信して取り込み否定結果を得ることで、再び、上述したステップＳＰ９７乃至ステップＳＰ９９の処理を順次実行する。このようにしてリストア支援端末１２、バックアップ装置１１及びＭＦＰ５によるリストア支援処理手順ＲＴ９、第２設定情報送信処理手順ＲＴ７及び第２設定情報リストア実行処理手順ＲＴ３からなる第２リストア処理手順を互いに通信しながら実行して、当該バックアップ装置１１にバックアップファイル５２としてバックアップしていた装置設定情報３８を、リストア支援端末１２の支援のもと、当該リストア支援端末１２が支援対象とするＭＦＰ５にリストアすることができる。
【００５５】
（１−６）実施の形態の動作及び効果
以上の構成において、バックアップシステム１は、ＭＦＰ５、６の動作形態を設定する装置設定情報３８をバックアップする外部ネットワーク１０上のバックアップ装置１１に、当該バックアップ装置１１と公衆回線網１４を介して通信可能なリストア支援端末１２を、これが装置設定情報３８のリストアを支援するＭＦＰ５、６と対応付けて登録する。そしてバックアップシステム１は、リストア支援端末１２がバックアップ装置１１と通信して、当該バックアップ装置１１がバックアップしている装置設定情報３８の中から支援対象のＭＦＰ５、６にリストアする装置設定情報３８を選択してリストアの実行を指示することで、バックアップ装置１１がリストア支援端末１２で選択された装置設定情報３８を支援対象のＭＦＰ５、６へ送信してリストアする。以上の構成によれば、バックアップシステム１は、例えば、メンテナンス作業者が、ＭＦＰ５、６の修理に伴い装置設定情報３８を改めて記憶させるような場合、ユーザのＰＣ７を操作する必要はなく、またメンテナンス作業者のパーソナルコンピュータをＭＦＰ５、６の遠隔操作用として内部ネットワーク９に接続するような煩雑な作業も必要とせずに、リストア支援端末１２を操作してバックアップ装置１１と通信することで、当該バックアップ装置１１にバックアップしていた装置設定情報３８をＭＦＰ５、６にリストアすることができる。よってバックアップシステム１は、ＭＦＰ５、６を正常に動作する状態に容易に復帰させることができる。
【００５６】
またバックアップシステム１は、バックアップ装置１１に１台のリストア支援端末１２を、これが装置設定情報３８のリストアを支援する複数台のＭＦＰ５、６と対応付けて登録するようにした。そしてバックアップシステム１は、リストア支援端末１２により、対応する複数台のＭＦＰ５、６の何れについて装置設定情報３８のリストアを支援する場合でも、当該リストア支援端末１２において、これに対応する複数台のＭＦＰ５、６がそれぞれバックアップ装置１１にバックアップしていた装置設定情報３８の中から、この際の支援対象のＭＦＰ５、６にリストアする装置設定情報３８を選択させて、当該ＭＦＰ５、６に、その選択された装置設定情報３８をリストアするようにした。従ってバックアップシステム１は、リストア支援端末１２が、対応する複数台のＭＦＰ５、６の何れかについて装置設定情報３８のリストアを支援する際、その支援対象のＭＦＰ５、６がバックアップ装置１１にリストア可能な適当な装置設定情報３８をバックアップしていない場合や、装置設定情報３８を全くバックアップしていない場合でも、他のＭＦＰ５、６がバックアップ装置１１にバックアップしていた装置設定情報３８を当該支援対象のＭＦＰ５、６にリストアして、そのＭＦＰ５、６を正常に動作する状態に確実に復帰させることができる。さらにバックアップシステム１は、バックアップ装置１１が、ＭＦＰ５、６に装置設定情報３８をリストアする際、その装置設定情報３８がＭＦＰ５、６の現在の設定フォーマットのフォーマットバージョンよりも何世代か前のフォーマットバージョンの設定フォーマットで設定されたものである場合、当該装置設定情報３８を現在の設定フォーマットに準じた内容に修正した上でＭＦＰ５、６にリストアするようにした。従ってバックアップシステム１は、装置設定情報３８をリストアしたＭＦＰ５、６を、正常に動作させて、その機能を十分に発揮させ得る状態に復帰させることができる。これに加えてバックアップシステム１は、リストア支援端末１２でＭＦＰ５、６へのリストア用に選択された装置設定情報３８が当該ＭＦＰ５、６の現在の設定フォーマットのフォーマットバージョンよりも何世代か前のフォーマットバージョンの設定フォーマットで設定されたものである場合、バックアップ装置１１から、その装置設定情報３８を現在の設定フォーマットに準じた内容に修正する際の修正箇所を提示する修正箇所提示画面データをリストア支援端末１２に送信して修正箇所提示画面１１５を表示するようにした。従ってバックアップシステム１は、リストア支援端末１２で表示した修正箇所提示画面１１５を介してメンテナンス作業者（またユーザ）に、装置設定情報３８をリストアする際の設定フォーマットの違いに起因する修正箇所を当該装置設定情報３８のリストアに先立って確認させることができる。このためバックアップシステム１は、例えば、装置設定情報３８の修正箇所の設定項目（すなわち、追加項目や変更項目）、及びこれに対する設定内容（すなわち、初期状態の設定内容）が、種々のサイズの印刷用紙を装填可能なトレイと、当該トレイに装填される印刷用紙のサイズであり、そのトレイに修正箇所の設定内容が示すサイズとは異なるサイズの印刷用紙がすでに装填される場合のように、修正箇所の設定項目に対する設定内容がＭＦＰ５、６の現在の動作形態（すなわち、動作環境や動作条件等）に即していない場合でも、当該ＭＦＰ５、６に、修正を施した装置設定情報３８をリストアした後、当該装置設定情報３８の修正箇所の設定項目に対する設定内容を、現在の動作形態に合わせるように迅速に変更させることができる。
【００５７】
さらにバックアップシステム１は、ＭＦＰ５、６から装置設定情報３８を、そのバックアップ日時をファイル名とするバックアップファイル５２、７９としてバックアップ装置１１にバックアップし、リストア支援端末１２により当該ＭＦＰ５、６への装置設定情報３８のリストアを支援する際、バックアップ装置１１からバックアップファイル５２、７９のファイル名リストを提示するバックアップファイル名提示画面データをリストア支援端末１２へ送信してバックアップファイル名提示画面１１０を表示させ、当該リストア支援端末１２において、そのバックアップファイル名提示画面１１０内のファイル名リストからリストア対象の装置設定情報３８をバックアップファイル５２、７９のファイル名として選択させるようにした。従ってバックアップシステム１は、リストア支援端末１２において複数の装置設定情報３８の中からＭＦＰ５、６にリストアすべき装置設定情報３８を、対応するファイル名からバックアップの時期を確認させるようにして選択させ易くすることができる。これに加えてバックアップシステム１は、ＭＦＰ５、６から装置設定情報３８と共に、これを閲覧可能な設定情報提示画像をバックアップ装置１１にバックアップしておき、バックアップ装置１１がリストア支援端末１２から設定情報提示画像の閲覧が要求された際、当該設定情報提示画像を閲覧させる情報閲覧画面データをリストア支援端末１２に送信して情報閲覧画面１３０を表示するようにした。これによりバックアップシステム１は、リストア支援端末１２により当該ＭＦＰ５、６への装置設定情報３８のリストアを支援する際、リストア対象の装置設定情報３８の選択に先立ち、当該リストア支援端末１２で表示する情報閲覧画面１３０を介してメンテナンス作業者（またユーザ）に、装置設定情報３８の内容を容易に確認させることができ、複数の装置設定情報３８の中からＭＦＰ５、６にリストアすべき装置設定情報３８を、さらに選択させ易くすることができる。
【００５８】
（２）他の実施の形態
（２−１）他の実施の形態１
なお上述した実施の形態においては、ＭＦＰ５、６がユーザの操作に応じてバックアップファイル５２、７９を生成してバックアップ装置１１へ送信しバックアップするようにした場合について述べた。しかしながら本発明は、これに限らず、ＭＦＰ５、６がファームウェアをダウンロードして設定フォーマットと共に装置設定情報３８を自動的に変更した際や、ユーザにより任意のタイミングで操作パネル２４を介して、又はＰＣ７を介して設定内容が変更された際、またユーザにより任意に選定された所定周期で、自動的にバックアップファイル５２、７９を生成してバックアップ装置１１へ送信しバックアップするようにしても良い。本発明は、係る構成によれば、バックアップ装置１１に対し常にＭＦＰ５、６の最新の装置設定情報３８をバックアップすることができる。これに加えて本発明は、ＭＦＰ５、６がユーザの操作に応じてバックアップファイル５２、７９を生成してバックアップ装置１１へバックアップするような場合、バックアップ装置１１が常に最新のファームウェアを記憶保持しておき、リストア支援端末１２やＭＦＰ５、６においてリストア対象の装置設定情報３８が選択されたとき、当該装置設定情報３８に対応する設定フォーマットのフォーマットバージョンを、最新のファームウェアが規定している設定フォーマットのフォーマットバージョンと比較する。そして本発明は、バックアップ装置１１が、そのフォーマットバージョンの比較結果に応じてリストア対象の装置設定情報３８を上述と同様に適宜修正するものの、当該リストア対象の装置設定情報３８が最新のフォーマットバージョンよりも何世代か前のフォーマットバージョンの設定フォーマットで設定されたものである場合、当該バックアップ装置１１からＭＦＰ５、６へ最新のファームウェアを送信して更新させたうえで、その修正した装置設定情報３８をＭＦＰ５、６へ送信してリストアさせるようにしても良い。本発明は、係る構成によれば、ＭＦＰ５、６において装置設定情報３８のリストアを基にファームフェアを最新のものに更新することができ、そのうえで装置設定情報３８をリストアすることで、当該ＭＦＰ５、６の機能を十分に発揮させ得る状態にすることができる。
【００５９】
（２−２）他の実施の形態２
また上述した実施の形態においては、ＭＦＰ５、６がバックアップファイル５２、７９を生成してバックアップ装置１１にバックアップする際、当該ＭＦＰ５、６が設定情報提示画像も生成してバックアップ装置１１にバックアップファイル５２、７９と共にバックアップするようにした場合について述べた。しかしながら本発明は、これに限らず、ＭＦＰ５、６ではなくバックアップ装置１１がバックアップしたバックアップファイル５２、７９内の装置設定情報３８をもとに設定情報提示画像を生成するようにしても良い。そして本発明は、バックアップ装置１１においてバックアップ処理部７５がバックアップファイル５２、７９を記憶部６２に記憶した（すなわち、バックアップした）ときに設定情報提示画像を生成して記憶部６２に記憶しても良いし、リストア処理部７６がリストア支援端末１２から設定情報提示画像の閲覧が要求されたときに当該設定情報提示画像を生成し情報閲覧画面データとしてリストア支援端末１２に送信しても良い。
【００６０】
（２−３）他の実施の形態３
さらに上述した実施の形態においては、複数台のＭＦＰ５、６に対応するリストア支援端末１２により何れかのＭＦＰ５、６への装置設定情報３８のリストアを支援する際、当該リストア支援端末１２に対応する複数台のＭＦＰ５、６の全てのバックアップファイル５２、７９をリストアの利用対象とするようにした場合について述べた。しかしながら本発明は、これに限らず、複数台のＭＦＰ５、６に対応するリストア支援端末１２により何れかのＭＦＰ５、６への装置設定情報３８のリストアを支援する際、例えば、これら複数台のＭＦＰ５、６の何れに対して装置設定情報３８をリストアする場合でも、リストア支援端末１２に何れのＭＦＰ５、６のバックアップファイル５２、７９をリストアの利用対象とするのかを１又は複数台のＭＦＰ５、６の装置シリアル番号として指定させ、当該指定により利用対象とした１又は複数台分のバックアップファイル５２、７９の中からリストア用の１個のバックアップファイル５２、７９を任意に選択させるようにしても良い。
【００６１】
（２−４）他の実施の形態４
さらに上述した実施の形態においては、バックアップ装置１１にＭＦＰ５、６を登録した際に２次元コード４３を生成して記憶しておくようにした場合について述べた。しかしながら本発明は、これに限らず、バックアップ装置１１がＭＦＰ５、６から送信された選択画面要求データを受信する毎に、２次元コード４３を生成してバックアップリストア選択画面データに合成したうえでＭＦＰ５、６に送信するようにしても良い。また本発明は、ＭＦＰ５、６が２次元コード４３を生成して、バックアップ装置１１から受信したバックアップリストア選択画面データに合成しても良い。さらに本発明は、２次元コード４３を印刷したシールをＭＦＰ５、６の外装面に貼着しても良い。
【００６２】
（２−５）他の実施の形態５
さらに上述した実施の形態においては、ＭＦＰ５、６の制御部２０が、記憶部２２に予め記憶された設定情報バックアップ実行プログラム、第１設定情報リストア実行プログラム及び第２設定情報リストア実行プログラムに従って図６、図９及び図１１について上述した設定情報バックアップ実行処理手順ＲＴ１、第１設定情報リストア実行処理手順ＲＴ２及び第２設定情報リストア実行処理手順ＲＴ３を実行するようにした場合について述べた。しかしながら本発明は、これに限らず、ＭＦＰ５、６において制御部２０が設定情報バックアップ実行プログラム、第１設定情報リストア実行プログラム及び第２設定情報リストア実行プログラムが記憶されたコンピュータ読取可能な記憶媒体によって当該設定情報バックアップ実行プログラム、第１設定情報リストア実行プログラム及び第２設定情報リストア実行プログラムをインストールし、又はローカルエリアネットワークやインターネット、デジタル衛星放送等の有線及び無線通信媒体を利用して外部から設定情報バックアップ実行プログラム、第１設定情報リストア実行プログラム及び第２設定情報リストア実行プログラムをインストールして設定情報バックアップ実行処理手順ＲＴ１、第１設定情報リストア実行処理手順ＲＴ２及び第２設定情報リストア実行処理手順ＲＴ３を実行するようにしても良い。さらに上述した実施の形態においては、バックアップ装置１１の制御部６０が、記憶部６２に予め記憶された登録実行プログラム、設定情報記憶プログラム、第１設定情報送信プログラム及び第２設定情報送信プログラムに従って図１４、図１６、図１７、図１９乃至図２１について上述した登録実行処理手順ＲＴ４、設定情報記憶処理手順ＲＴ５、第１設定情報送信処理手順ＲＴ６及び第２設定情報送信処理手順ＲＴ７を実行するようにした場合について述べた。しかしながら本発明は、これに限らず、バックアップ装置１１の制御部６０が登録実行プログラム、設定情報記憶プログラム、第１設定情報送信プログラム及び第２設定情報送信プログラムが記憶されたコンピュータ読取可能な記憶媒体によって当該登録実行プログラム、設定情報記憶プログラム、第１設定情報送信プログラム及び第２設定情報送信プログラムをインストールし、又はローカルエリアネットワークやインターネット、デジタル衛星放送等の有線及び無線通信媒体を利用して外部から登録実行プログラム、設定情報記憶プログラム、第１設定情報送信プログラム及び第２設定情報送信プログラムをインストールして登録実行処理手順ＲＴ４、設定情報記憶処理手順ＲＴ５、第１設定情報送信処理手順ＲＴ６及び第２設定情報送信処理手順ＲＴ７を実行するようにしても良い。さらに上述した実施の形態においては、リストア支援端末１２の制御部８５が、記憶部８７に予め記憶された登録依頼プログラム及びリストア支援プログラムに従って図２３乃至図２７について上述した登録依頼処理手順ＲＴ８及びリストア支援処理手順ＲＴ９を実行するようにした場合について述べた。しかしながら本発明は、これに限らず、リストア支援端末１２の制御部８５が登録依頼プログラム及びリストア支援プログラムが記憶されたコンピュータ読取可能な記憶媒体によって当該登録依頼プログラム及びリストア支援プログラムをインストールし、又はローカルエリアネットワークやインターネット、デジタル衛星放送等の有線及び無線通信媒体を利用して外部から登録依頼プログラム及びリストア支援プログラムをインストールして登録依頼処理手順ＲＴ８及びリストア支援処理手順ＲＴ９を実行するようにしても良い。これら種々のプログラムをＭＦＰ５、６、バックアップ装置１１及びリストア支援端末１２にインストールして実行可能な状態にするためのコンピュータ読取可能な記憶媒体としては、例えば、フレキシブルディスクや、ＣＤ−ＲＯＭ（Compact  Disc-Read  Only  Memory）、ＤＶＤ（Digital  Versatile  Disc）等のパッケージメディアで実現しても良く、各種プログラムが一時的もしくは永続的に記憶される半導体メモリや磁気ディスク等で実現しても良い。またコンピュータ読取可能な記憶媒体に、これら種々のプログラムを記憶する手段としては、ローカルエリアネットワークやインターネット、デジタル衛星放送等の有線及び無線通信媒体を利用するようにしても良い。さらにコンピュータ読取可能な記憶媒体には、ルータやモデム等の各種通信インタフェースを介して、これら種々のプログラムを記憶するようにしても良い。
【００６３】
（２−６）他の実施の形態６
さらに上述した実施の形態においては、本発明によるバックアップシステムを、図１乃至図３９について上述したバックアップシステム１に適用するようにした場合について述べた。しかしながら本発明は、これに限らず、サーバやコンピュータ等であるバックアップ装置と、ＭＦＰやプリンタ、ファクシミリ、複写機等である画像形成装置と、スマートホンや携帯電話機、携帯情報端末、タブレット端末、ノート型のパーソナルコンピュータ等であるリストア支援端末とから構築されるバックアップシステム等のように、この他種々の構成のバックアップシステムに広く適用することができる。
【産業上の利用可能性】
【００６４】
本発明は、サーバやコンピュータ等のバックアップ装置と、ＭＦＰやカラープリンタ、ファクシミリ、複写機等の画像形成装置と、スマートホンや携帯電話機、携帯情報端末、タブレット端末、ノート型のパーソナルコンピュータ等のリストア支援端末とから構築されるバックアップシステムに利用することができる。
【符号の説明】
【００６５】
１……バックアップシステム、５、６……ＭＦＰ、９……内部ネットワーク、１０……外部ネットワーク、１１……バックアップ装置、１２……リストア支援端末、１３……アクセスポイント、１４……公衆回線網、２０、６０、８５……制御部、２２、６２、８７……記憶部、３０、６５……ネットワーク通信部、３５、６６、９２……システム制御部、３６……装置識別情報、３７……装置個別情報、３８……装置設定情報、４５……バックアップ実行部、４６……リストア実行部、５１……提示画像生成部、５２、７９……バックアップファイル、６７……装置シリアル番号情報、６８……登録装置リスト、６９……端末電話番号情報、７０……端末登録実行部、７１……フォーマットテーブル、７５……バックアップ処理部、７６……リストア処理部、７７……設定情報提示画像ファイル、７８……設定情報修正部、９１……無線通信部、９４……登録依頼部、９５……リストア支援部、１００……リストア支援画面、１１０……バックアップファイル名提示画面、１１５……修正箇所提示画面、１２５……画像ファイル名提示画面、１３０……情報閲覧画面、ＲＴ１……設定情報バックアップ実行処理手順、ＲＴ２……第１設定情報リストア実行処理手順、ＲＴ３……第２設定情報リストア実行処理手順、ＲＴ４……登録実行処理手順、ＲＴ５……設定情報記憶処理手順、ＲＴ６……第１設定情報送信処理手順、ＲＴ７……第２設定情報送信処理手順、ＲＴ８……登録依頼処理手順、ＲＴ９……リストア支援処理手順。
【図１】
2016045775.tif 000003
【図２】
2016045775.tif 000004
【図３】
2016045775.tif 000005
【図４】
2016045775.tif 000006
【図５】
2016045775.tif 000007
【図６】
2016045775.tif 000008
【図７】
2016045775.tif 000009
【図８】
2016045775.tif 000010
【図９】
2016045775.tif 000011
【図１０】
2016045775.tif 000012
【図１１】
2016045775.tif 000013
【図１２】
2016045775.tif 000014
【図１３】
2016045775.tif 000015
【図１４】
2016045775.tif 000016
【図１５】
2016045775.tif 000017
【図１６】
2016045775.tif 000018
【図１７】
2016045775.tif 000019
【図１８】
2016045775.tif 000020
【図１９】
2016045775.tif 000021
【図２０】
2016045775.tif 000022
【図２１】
2016045775.tif 000023
【図２２】
2016045775.tif 000024
【図２３】
2016045775.tif 000025
【図２４】
2016045775.tif 000026
【図２５】
2016045775.tif 000027
【図２６】
2016045775.tif 000028
【図２７】
2016045775.tif 000029
【図２８】
2016045775.tif 000030
【図２９】
2016045775.tif 000031
【図３０】
2016045775.tif 000032
【図３１】
2016045775.tif 000033
【図３２】
2016045775.tif 000034
【図３３】
2016045775.tif 000035
【図３４】
2016045775.tif 000036
【図３５】
2016045775.tif 000037
【図３６】
2016045775.tif 000038
【図３７】
2016045775.tif 000039
【図３８】
2016045775.tif 000040
【図３９】
2016045775.tif 000041